(57)【特許請求の範囲】
【請求項１】
ホットプレス法による少なくとも１つの物品の処理のためのプレス構成体（１００）であって、前記プレス構成体は、圧力容器（２）を含み、前記圧力容器（２）は、
炉を備える炉室（１８）と、ここにおいて、前記炉室は、断熱されたケーシング（６、７、１７）によって少なくとも部分的に取り囲まれており、前記炉室の中に配置されているロードコンパートメント（１９）を備え、前記ロードコンパートメントは、処理されることとなる少なくとも１つの物品を保持するように構成されており、ここにおいて、前記炉室は、前記ロードコンパートメントを通る圧力媒体のフローを可能にするように配置されており、前記炉室は、少なくとも１つの圧力媒体ガイド通路（１２）を備え、前記少なくとも１つの圧力媒体ガイド通路（１２）は、前記断熱されたケーシングと前記ロードコンパートメントとの間に少なくとも部分的に形成されており、内側対流ループを形成するように前記ロードコンパートメントと流体連通しており、ここにおいて、前記内側対流ループの中の圧力媒体は、前記ロードコンパートメントを通してガイドされ、前記炉室の前記少なくとも１つの圧力媒体ガイド通路を通してガイドされ、前記ロードコンパートメントに戻るようにガイドされ、または、その逆も同様であり、
前記炉室の前記少なくとも１つの圧力媒体ガイド通路の少なくとも一部分の中の圧力媒体フローを選択的に阻害または妨害するように構成されており、それによって、前記内側対流ループの中の圧力媒体のフローを選択的に阻害または妨害する、少なくとも１つの調節可能なスロットル（１５）と
を備え、
前記少なくとも１つの調節可能なスロットルは、前記炉室の前記少なくとも１つの圧力媒体ガイド通路の中の圧力媒体フローを阻害または妨害することに関して制御可能となるように配置されており、前記プレス構成体は、
前記少なくとも１つの調節可能なスロットルを制御するために、前記少なくとも１つの調節可能なスロットルに通信可能に連結されている制御ユニット（９）であって、前記制御ユニットは、前記炉室の前記少なくとも１つの圧力媒体ガイド通路の少なくとも一部分の中の圧力媒体フローを制御可能に阻害または妨害するように、前記少なくとも１つの調節可能なスロットルを制御するように構成され、
前記プレス構成体は、ホットプレス法によって少なくとも１つの物品を処理するように構成されており、前記少なくとも１つの物品の前記処理が、少なくとも１つの加熱局面と少なくとも１つの冷却局面とを備えるようになっており、前記少なくとも１つの加熱局面では、前記少なくとも１つの物品が加熱され、前記少なくとも１つの冷却局面では、前記少なくとも１つの物品が冷却され、前記制御ユニットは、前記少なくとも１つの冷却局面の間に、前記炉室の前記少なくとも１つの圧力媒体ガイド通路の少なくとも一部分の中の圧力媒体フローを阻害または妨害するように、および、前記少なくとも１つの加熱局面の間に、前記炉室の前記少なくとも１つの圧力媒体ガイド通路の少なくとも一部分の中の圧力媒体フローを阻害または妨害しないように、前記少なくとも１つの調節可能なスロットルを制御するように構成されている、
プレス構成体。
【請求項２】
前記圧力容器は、
少なくとも１つのフロー発生器（１６）であって、前記少なくとも１つのフロー発生器（１６）は、スペース（５）からの圧力媒体の輸送によって、および、前記ロードコンパートメントの中への前記圧力媒体の注入によって、前記ロードコンパートメントの中への圧力媒体のフローを選択的に発生させるように構成されており、前記スペース（５）は、前記圧力容器の底部断熱部分（１７）の下方に、および、前記圧力容器の底部端部部分（４）の上方に位置付けされている、少なくとも１つのフロー発生器（１６）を備え、
前記少なくとも１つの調節可能なスロットルは、前記スペースからの圧力媒体の輸送によって発生させられる、前記ロードコンパートメントの中への圧力媒体の前記フローの圧力媒体流路の中に配置されており、前記少なくとも１つの調節可能なスロットルは、前記スペースから上向きへの圧力媒体の輸送によって発生させられる前記ロードコンパートメントの中への圧力媒体の任意のフローのフローレベルに基づいて、前記炉室の前記少なくとも１つの圧力媒体ガイド通路の少なくとも一部分の中の圧力媒体フローを選択的に阻害または妨害するように配置されており、前記フローは、前記少なくとも１つの調節可能なスロットルに衝突する、請求項１に記載のプレス構成体。
【請求項３】
前記圧力容器は、
少なくとも１つのフロー発生器（１６）であって、前記少なくとも１つのフロー発生器（１６）は、スペース（５）からの圧力媒体の輸送によって、および、前記ロードコンパートメントの中への前記圧力媒体の注入によって、前記ロードコンパートメントの中への圧力媒体のフローを選択的に発生させるように構成されており、前記スペース（５）は、前記圧力容器の底部断熱部分（１７）の下方に、および、前記圧力容器の底部端部部分（４）の上方に位置付けされている、少なくとも１つのフロー発生器（１６）を備え、
前記制御ユニットは、前記スペースから上向きへの圧力媒体の輸送によって発生させられる前記ロードコンパートメントの中への圧力媒体の任意のフローのフローレベルに基づいて、前記炉室の前記少なくとも１つの圧力媒体ガイド通路の少なくとも一部分の中の圧力媒体フローを制御可能に阻害または妨害するように、前記少なくとも１つの調節可能なスロットルを制御するように構成されている、請求項１または２に記載のプレス構成体。
【請求項４】
前記圧力容器は、
少なくとも１つのフロー発生器（１６）であって、前記少なくとも１つのフロー発生器（１６）は、スペース（５）からの圧力媒体の輸送によって、および、前記ロードコンパートメントの中への前記圧力媒体の注入によって、前記ロードコンパートメントの中への圧力媒体のフローを選択的に発生させるように構成されており、前記スペース（５）は、前記圧力容器の底部断熱部分（１７）の下方に、および、前記圧力容器の底部端部部分（４）の上方に位置付けされている、少なくとも１つのフロー発生器（１６）を備え、
前記圧力容器は、前記炉室の前記少なくとも１つの圧力媒体ガイド通路の圧力媒体流路、および、前記スペースからの圧力媒体の輸送によって発生させられる、前記ロードコンパートメントの中への圧力媒体の前記フローの圧力媒体流路が、少なくとも１つの圧力媒体流路交差部（１４）において交差するように配置されており、前記少なくとも１つの調節可能なスロットルは、前記少なくとも１つの圧力媒体流路交差部に配置されている、請求項１〜３のいずれか一項に記載のプレス構成体。
【請求項５】
前記ロードコンパートメントの中への圧力媒体の前記フローは、圧力媒体導管（２０、２１、２２）による前記ロードコンパートメントの中への前記圧力媒体の注入によって発生させられ、前記圧力媒体導管（２０、２１、２２）は、前記スペースの中に配置されている入口部（２１）と、前記入口部に連結されている中間部分（２０）と、前記中間部分に連結されている出口部（２２）とを有しており、前記少なくとも１つの圧力媒体流路交差部は、前記圧力媒体導管の中の少なくとも１つの開口部（２３、２４、２５；２６、２７、２８）に配置されており、前記少なくとも１つの調節可能なスロットルは、前記圧力媒体導管の中の前記少なくとも１つの開口部を通る圧力媒体フローを選択的に阻害または妨害するように構成されている、請求項４に記載のプレス構成体。
【請求項６】
前記圧力媒体導管の中の前記少なくとも１つの開口部は、その出口部と前記底部断熱部分との間に配置されている、請求項５に記載のプレス構成体。
【請求項７】
前記少なくとも１つの調節可能なスロットルは、少なくとも１つの第１の可動スロットル本体部（３０、３１、３２；３３）を備え、前記少なくとも１つの第１の可動スロットル本体部（３０、３１、３２；３３）は、前記圧力媒体導管の中の前記少なくとも１つの開口部を通る圧力媒体フローを選択的に阻害または妨害するように配置されており、前記少なくとも１つの第１のスロットル本体部は、少なくとも、前記圧力媒体導管の中の前記少なくとも１つの開口部を通る圧力媒体フローを妨害するように、前記少なくとも１つの第１のスロットル本体部が前記圧力媒体導管の中の前記少なくとも１つの開口部を閉じている位置と、前記圧力媒体導管の中の前記少なくとも１つの開口部を通る圧力媒体フローを阻害または妨害しないように、前記少なくとも１つの第１のスロットル本体部が前記圧力媒体導管の中の前記少なくとも１つの開口部から間隔を置いて配置されている位置との間で移動可能である、請求項５または６に記載のプレス構成体。
【請求項８】
前記少なくとも１つの第１のスロットル本体部は、前記圧力媒体導管の中に配置されている、請求項７に記載のプレス構成体。
【請求項９】
前記少なくとも１つの第１のスロットル本体部は、前記圧力媒体導管の外側に配置されている、請求項７に記載のプレス構成体。
【請求項１０】
前記圧力容器は、
少なくとも１つのフロー発生器（１６）であって、前記少なくとも１つのフロー発生器（１６）は、スペース（５）からの圧力媒体の輸送によって、および、前記ロードコンパートメントの中への前記圧力媒体の注入によって、前記ロードコンパートメントの中への圧力媒体のフローを選択的に発生させるように構成されており、前記スペース（５）は、前記圧力容器の底部断熱部分（１７）の下方に、および、前記圧力容器の底部端部部分（４）の上方に位置付けされている、少なくとも１つのフロー発生器（１６）を備え、
前記ロードコンパートメントの中への圧力媒体の前記フローは、圧力媒体導管（２０、２１、２２）による前記ロードコンパートメントの中への前記圧力媒体の注入によって発生させられ、前記圧力媒体導管（２０、２１、２２）は、前記スペースの中に配置されている入口部（２１）と、前記入口部に連結されている中間部分（２０）と、前記中間部分に連結されている出口部（２２）とを有しており、
前記圧力媒体導管は、少なくとも１つの圧力媒体分配導管（８）を設けられており、前記少なくとも１つの圧力媒体分配導管（８）は、前記スペースから輸送される前記圧力媒体を前記ロードコンパートメントの中へ注入するために、前記圧力媒体導管の前記出口部に配置されており、前記少なくとも１つの圧力媒体分配導管は、少なくとも１つの圧力媒体ガイド通路（５１）を備え、前記少なくとも１つの圧力媒体ガイド通路（５１）は、前記炉室の前記少なくとも１つの圧力媒体ガイド通路からの圧力媒体が、前記ロードコンパートメントに進入することを可能にし、または、その逆も同様であり、前記少なくとも１つの調節可能なスロットルは、前記少なくとも１つの圧力媒体分配導管の前記少なくとも１つの圧力媒体ガイド通路を通る圧力媒体フローを選択的に阻害または妨害するように構成されている、請求項１〜９のいずれか一項に記載のプレス構成体。
【請求項１１】
前記ロードコンパートメントは、前記ロードコンパートメントの側壁部の中に少なくとも１つの開口部（２９）を備え、前記ロードコンパートメントの側壁部の中の前記少なくとも１つの開口部は、前記炉室の前記少なくとも１つの圧力媒体ガイド通路からの圧力媒体が、前記ロードコンパートメントに進入することを可能にし、または、その逆も同様であり、前記少なくとも１つの調節可能なスロットルは、前記ロードコンパートメントの前記側壁部の中の前記少なくとも１つの開口部を通る圧力媒体フローを選択的に阻害または妨害するように構成されている、請求項１〜１０のいずれか一項に記載のプレス構成体。
【請求項１２】
前記ロードコンパートメントは、処理されることとなる少なくとも１つの物品を保持するように構成されているロードバスケット（３４）によって画定されており、前記ロードコンパートメントの側壁部の中の前記少なくとも１つの開口部は、前記ロードバスケットの側壁部の中の少なくとも１つの開口部によって構成されている、請求項１１に記載のプレス構成体。
【請求項１３】
前記少なくとも１つの調節可能なスロットルは、少なくとも１つの第２の可動スロットル本体部を備え、前記少なくとも１つの第２の可動スロットル本体部は、前記ロードコンパートメントの前記側壁部の中の前記少なくとも１つの開口部を通る圧力媒体フローを選択的に阻害または妨害するように配置されており、前記少なくとも１つの第２のスロットル本体部は、少なくとも、前記ロードコンパートメントの前記側壁部の中の前記少なくとも１つの開口部を通る圧力媒体フローを妨害するように、前記少なくとも１つの第２のスロットル本体部が前記ロードコンパートメントの前記側壁部の中の前記少なくとも１つの開口部を閉じている位置と、前記ロードコンパートメントの前記側壁部の中の前記少なくとも１つの開口部を通る圧力媒体フローを阻害または妨害しないように、前記少なくとも１つの第２のスロットル本体部が前記ロードコンパートメントの前記側壁部の中の前記少なくとも１つの開口部から間隔を置いて配置されている位置との間で移動可能である、請求項１１または１２に記載のプレス構成体。
【請求項１４】
前記少なくとも１つの第２のスロットル本体部は、前記ロードコンパートメントの外側に配置されている、請求項１３に記載のプレス構成体。
【請求項１５】
前記少なくとも１つの調節可能なスロットルは、少なくとも１つのバルブを備える、請求項１〜１４のいずれか一項に記載のプレス構成体。
【請求項１６】
ホットプレス法による少なくとも１つの物品の処理のためのプレス構成体（１００）における方法であって、前記プレス構成体は、圧力容器（２）を含み、前記圧力容器（２）は、炉を備える炉室（１８）を備え、前記炉室は、断熱されたケーシング（６、７、１７）によって少なくとも部分的に取り囲まれており、前記炉室の中に配置されているロードコンパートメント（１９）を備え、前記ロードコンパートメントは、処理されることとなる少なくとも１つの物品を保持するように構成されており、前記炉室は、前記ロードコンパートメントを通る圧力媒体のフローを可能にするように配置されており、前記炉室は、少なくとも１つの圧力媒体ガイド通路（１２）を備え、前記少なくとも１つの圧力媒体ガイド通路（１２）は、前記断熱されたケーシングと前記ロードコンパートメントとの間に少なくとも部分的に形成されており、内側対流ループを形成するように前記ロードコンパートメントと流体連通しており、前記内側対流ループの中の圧力媒体は、前記ロードコンパートメントを通してガイドされ、前記炉室の前記少なくとも１つの圧力媒体ガイド通路を通してガイドされ、前記ロードコンパートメントに戻るようにガイドされ、または、その逆も同様であり、前記方法は、
少なくとも１つの調節可能なスロットル（１５）によって前記炉室の前記少なくとも１つの圧力媒体ガイド通路の少なくとも一部分の中の圧力媒体フローを選択的に阻害または妨害し、それによって、前記内側対流ループの中の圧力媒体のフローを選択的に阻害または妨害するステップを備え、
前記炉室の前記少なくとも１つの圧力媒体ガイド通路の少なくとも一部分の中の圧力媒体フローを選択的に阻害または妨害するステップは、前記少なくとも１つの冷却局面の間に、前記炉室の前記少なくとも１つの圧力媒体ガイド通路の少なくとも一部分の中の圧力媒体フローを阻害または妨害し、および、前記少なくとも１つの加熱局面の間に、前記炉室の前記少なくとも１つの圧力媒体ガイド通路の少なくとも一部分の中の圧力媒体フローを阻害または妨害しない、
方法。
【発明の詳細な説明】
【技術分野】
【０００１】
本発明は、概して、圧力処理の分野に関する。とりわけ、本発明は、プレス法による、たとえば、熱間等静圧圧縮成形（ＨＩＰ）などのようなホットプレス法による、少なくとも１つの物品の処理のためのプレス構成体に関する。
【背景技術】
【０００２】
熱間等静圧圧縮成形（ＨＩＰ）は、たとえば、鋳物（たとえば、タービンブレード）の中のポロシティーを低減させるかまたはさらには排除するために使用され、それらの耐用年数と強度（たとえば、それらの疲労強度）とを実質的に増加させることが可能である。加えて、ＨＩＰは、粉末を圧縮することによって製品を製造する際に使用され得、その製品は、完全にまたは実質的に完全に高密度であること、および、細孔のない外側表面または実質的に細孔のない外側表面を有することなどが望まれるかまたは必要とされる。
【０００３】
ＨＩＰによる圧力処理を受けることとなる物品は、断熱された圧力容器のロードコンパートメントまたはチャンバーの中に位置決めされ得る。処理サイクルは、物品をロードすることと、物品を処理することと、物品をアンロードすることとを備えることが可能である。いくつかの物品は、同時に処理され得る。処理サイクルは、プレス局面、加熱局面、および冷却局面などのような、いくつかのパートまたは局面へと分割され得る。物品を圧力容器の中へロードした後に、それは、次いで、シールされ得、圧力容器およびそのロードコンパートメントの中への圧力媒体（たとえば、アルゴンを含有するガスなどのような不活性ガスを備える）の導入がそれに続く。次いで、圧力媒体の圧力および温度が増加させられ、物品が、選択された時間の期間の間、増加した圧力および増加した温度を受けるようになっている。圧力媒体の温度の増加は（それは、物品の温度の増加を引き起こすこともある）、圧力容器の炉室の中に配置されている加熱エレメントまたは炉によって提供される。圧力、温度、および処理時間は、たとえば、処理される物品の所望のまたは必要とされる材料特性、特定の適用分野、および、処理される物品の必要とされる品質に依存し得る。ＨＩＰにおける圧力は、たとえば、２００ｂａｒから５０００ｂａｒの範囲、たとえば、８００ｂａｒから２０００ｂａｒなどの範囲の中にあることが可能である。ＨＩＰにおける温度は、たとえば、３００℃から３０００℃の範囲、たとえば、８００℃から２０００℃などの範囲の中にあることが可能である。
【０００４】
たとえば、冷却局面の間に物品の迅速で均一な冷却を実施することができるように、処理サイクルの間の温度に関して処理サイクルをカスタマイズするための能力または容量に対する要求がますます高まっている。たとえば、冷却局面の間に、圧力媒体の温度（および、それによって、物品の温度）を迅速に減少させることが要求されるかまたは望まれる可能性がある。加熱局面の間に、圧力媒体の温度（および、それによって、物品の温度）を均質な様式で増加させることが要求されるかまたは望まれる可能性がある。
【発明の概要】
【０００５】
上記を考慮して、本発明の関心は、プレス構成体の比較的高い全体的な動作効率を実現するために、プレス構成体が動作させられている処理サイクルの現在の局面に基づいて、その動作を制御することを促進させるプレス構成体を提供することである。
【０００６】
この関心事および他の関心事のうちの少なくとも１つに対処するために、独立請求項によるプレス構成体、および、プレス構成体における方法が提供される。好適な実施形態は、従属請求項によって定義されている。
【０００７】
第１の態様によれば、プレス構成体が提供される。プレス構成体は、ホットプレス法による少なくとも１つの物品の処理のためのものである。プレス構成体は、圧力容器を含む。圧力容器は、炉を備える炉室を備える。炉室は、断熱されたケーシングによって少なくとも部分的に取り囲まれている。炉室は、ロードコンパートメントを備え、ロードコンパートメントは、炉室の中に配置されている。ロードコンパートメントは、処理されることとなる少なくとも１つの物品を保持するように構成されている。炉室（または、ロードコンパートメント）は、ロードコンパートメントを通る圧力媒体のフローを可能にするように配置されている。炉室は、少なくとも１つの圧力媒体ガイド通路を備える。炉室の少なくとも１つの圧力媒体ガイド通路は、少なくとも処理サイクルの間に、すなわち、プレス構成体が少なくとも１つの物品を処理するように動作させられるときに、炉室の中に形成または画定され得る。少なくとも１つの圧力媒体ガイド通路は、断熱されたケーシングとロードコンパートメントとの間に少なくとも部分的に形成される。少なくとも１つの圧力媒体ガイド通路は、内側対流ループを形成するようにロードコンパートメントと流体連通している。内側対流ループの中の圧力媒体が、ロードコンパートメントを通してガイドされ、炉室の少なくとも１つの圧力媒体ガイド通路を通してガイドされ、ロードコンパートメントに戻るようにガイドされ、または、その逆も同様であるように、内側対流ループは構成されている。圧力容器は、少なくとも１つの調節可能なスロットルを備える。少なくとも１つの調節可能なスロットルは、炉室の少なくとも１つの圧力媒体ガイド通路の少なくとも一部分の中の圧力媒体フローを選択的に阻害または妨害するように構成されており、それによって、内側対流ループの中の圧力媒体のフロー（たとえば、循環する圧力媒体フロー）を選択的に阻害または妨害する。
【０００８】
少なくとも１つの調節可能なスロットルが、炉室の少なくとも１つの圧力媒体ガイド通路の少なくとも一部分の中の圧力媒体フローを選択的に阻害または妨害するように構成されており、それによって、内側対流ループの中の圧力媒体のフローを選択的に阻害または妨害するということによって、少なくとも１つの調節可能なスロットルが、炉室の少なくとも１つの圧力媒体ガイド通路の少なくとも一部分の中の圧力媒体フローを（たとえば、選択された範囲または程度に）阻害または妨害するように調節または制御され得、それによって、内側対流ループの中の圧力媒体のフローを（たとえば、選択された範囲または程度に）阻害または妨害するということを意味しており、または、少なくとも１つの調節可能なスロットルが、炉室の少なくとも１つの圧力媒体ガイド通路の少なくとも一部分の中の圧力媒体フローを阻害または妨害しないように調節または制御され得、それによって、内側対流ループの中の圧力媒体のフローを阻害または妨害しないということを意味している。
【０００９】
プレス構成体は、ホットプレス法によって少なくとも１つの物品を処理するように構成され得、少なくとも１つの物品の処理は、少なくとも１つの加熱局面と、場合によっては少なくとも１つの冷却局面とを備えるようになっており、少なくとも１つの加熱局面では、少なくとも１つの物品が加熱され、少なくとも１つの冷却局面では、少なくとも１つの物品が冷却される。少なくとも１つの加熱局面の間に、内側対流ループの中に循環する圧力媒体フローを引き起こす（または、維持する）ことが望まれ得る。少なくとも１つの加熱局面の間に、圧力媒体は、炉室の中の内側対流ループの中に循環していることが可能であり、炉室の中の圧力媒体（および、とりわけ、ロードコンパートメントの中の圧力媒体）が、ロードコンパートメントを通って流れる間に、および、その後に、ロードコンパートメントを退出する間に、炉室の中の炉によって加熱され得るようになっている。圧力媒体がロードコンパートメントを退出した後に、それは、炉室の少なくとも１つの圧力媒体ガイド通路を通してガイドされ得、最終的に、ロードコンパートメントに戻ることが可能である。内側対流ループによって、少なくとも１つの物品の比較的高いレートの加熱が実現され得る。また、少なくとも１つの加熱局面の間の内側対流ループの中のフロー圧力媒体を可能にすることによって、炉室の中の任意の温度勾配が、少なくとも１つの加熱局面の間に、比較的小さく維持され得る。換言すれば、少なくとも１つの物品は、比較的均質な様式で加熱され得る。
【００１０】
先述のものの中に示されているように、少なくとも１つの調節可能なスロットルは、炉室の少なくとも１つの圧力媒体ガイド通路の少なくとも一部分の中の圧力媒体フローを選択的に阻害するように構成され得、それによって、内側対流ループの中の圧力媒体のフロー（たとえば、循環する圧力媒体フロー）を阻害し、それは、内側対流ループの中の圧力媒体の循環するフローは低減されるが、内側対流ループの中の圧力媒体のいくらかの循環するフローが依然として存在する可能性があるということを必然的に伴う可能性がある。少なくとも１つの調節可能なスロットルは、炉室の少なくとも１つの圧力媒体ガイド通路の少なくとも一部分の中の圧力媒体フローを選択的に妨害するように構成され得、それによって、内側対流ループの中の圧力媒体のフロー（たとえば、循環する圧力媒体フロー）を妨害し、それは、内側対流ループの中の循環する圧力媒体のフローが存在しないかまたは実質的に存在しないということを必然的に伴う可能性がある。
【００１１】
少なくとも１つの物品が加熱される少なくとも１つの加熱局面の間に、炉室の内側対流ループの中の循環する圧力媒体のフローが、一般的に望まれる。少なくとも１つの加熱局面の間に炉室の少なくとも１つの圧力媒体ガイド通路の少なくとも一部分の中の圧力媒体フローを阻害または妨害しないように、少なくとも１つの調節可能なスロットルを調節することによって、少なくとも１つの加熱局面の間の内側対流ループの中の圧力媒体のフローは、比較的高いレベルになるように増加させられ得る。
【００１２】
少なくとも１つの物品が冷却される少なくとも１つの冷却局面の間に、少なくとも１つの物品の比較的高いレートの冷却を実現することを促進させるために、炉室の内側対流ループの中の循環する圧力媒体のフローが望まれない可能性がある。その代わりに、炉室の外側の外側冷却ループの中で冷却された比較的冷たい圧力媒体のフローを、炉室の中へ方向付けることが望まれる可能性がある。それによって、ロードコンパートメントの中の少なくとも１つの物品からの熱エネルギーが、比較的冷温の圧力媒体のフローに伝達され得、それは、炉室（および、ロードコンパートメント）を通してガイドされ、その後に、圧力媒体のフローは、炉室から外へガイドされ、外側冷却ループの中へ戻るようにガイドされ得る。外側冷却ループは、たとえば、炉室を退出した圧力媒体が圧力容器の中をガイドされるように配置され得、たとえば、圧力容器の外側壁部および／または端部クロージャーの内側表面に近接して通過するようになっており、その間に、圧力媒体からの熱エネルギーが、圧力容器の外側壁部を介して圧力容器の外側に伝達され得る。
【００１３】
少なくとも１つの調節可能なスロットルによって（少なくとも１つの調節可能なスロットルは、炉室の少なくとも１つの圧力媒体ガイド通路の少なくとも一部分の中の圧力媒体フローを選択的に阻害または妨害することを可能にする）、内側対流ループの少なくとも一部分の中の圧力媒体のフロー（たとえば、循環する圧力媒体フロー）は、選択的に阻害すまたは妨害され得る。たとえば、少なくとも１つの調節可能なスロットルは、少なくとも１つの冷却局面の間に、炉室の少なくとも１つの圧力媒体ガイド通路の少なくとも一部分の中の圧力媒体フローを阻害または妨害するように調節され得、また、少なくとも１つの加熱局面の間に、炉室の少なくとも１つの圧力媒体ガイド通路の少なくとも一部分の中の圧力媒体フローを阻害または妨害しないように調節され得る。先述のものの中に述べられているように、冷却局面の間に、炉室の内側対流ループの中の循環する圧力媒体のフローは望まれない可能性があり、一方、加熱局面の間に、炉室の内側対流ループの中の循環する圧力媒体のフローは望まれる可能性がある。したがって、少なくとも１つの調節可能なスロットルによって、圧力容器の中の圧力媒体フローは、少なくとも１つの物品を処理するためにプレス構成体が動作させられている処理サイクルの現在の局面に基づいて制御され得、プレス構成体の全体的な動作効率を増加させることを促進させるようになっている。たとえば、少なくとも１つの加熱局面の間に、少なくとも１つの調節可能なスロットルは、内側対流ループを「開ける」ように制御され得（内側対流ループの中の循環する圧力媒体フローを可能にする）、一方、少なくとも１つの冷却局面の間に、少なくとも１つの調節可能なスロットルは、内側対流ループを「閉じる」ように制御され得る。また、少なくとも１つの冷却局面の間に、炉室の少なくとも１つの圧力媒体ガイド通路の少なくとも一部分の中の圧力媒体フローを阻害または妨害することによって、外側冷却ループから炉室の中への圧力媒体のフローは、（炉室の少なくとも１つの圧力媒体ガイド通路の中の圧力媒体フローが阻害または妨害されないとした場合と比較したときに）増加させられ得、それによって、少なくとも１つの物品の比較的高いレートの冷却が、少なくとも１つの冷却局面の間に実現され得る。
【００１４】
本出願の文脈において、調節可能なスロットルによって、それは、たとえば、圧力容器の中の圧力媒体のフローが、それによって、圧力媒体フローの狭窄または妨害によって制御され得る、任意の適切なメカニズムを意味している。少なくとも１つの調節可能なスロットルがどのように現実化され得るかという例は、以下に説明されることとなる。
【００１５】
圧力容器は、少なくとも１つのフロー発生器を備えることが可能である。少なくとも１つのフロー発生器は、スペースからの圧力媒体の輸送によって、および、ロードコンパートメントの中への圧力媒体の注入によって、ロードコンパートメントの中への圧力媒体のフローを選択的に（および、場合によっては制御可能に）発生させるように構成され得、スペースは、圧力容器の底部断熱部分の下方に、および、圧力容器の底部端部部分の上方に位置付けされている。少なくとも１つのフロー発生器は、たとえば、エジェクター構成体（たとえば、単一段式のエジェクター、または、多段式のエジェクター）を備えることが可能である。代替的にはまたは加えて、少なくとも１つのフロー発生器は、１つまたは複数のファンまたはポンプなどを備えることが可能であり、それは、ロードコンパートメントの中への圧力媒体のフローを引き起こすように配置され得る。
【００１６】
少なくとも１つの調節可能なスロットルは、スペースからの圧力媒体の輸送によって発生させられる、ロードコンパートメントの中への圧力媒体のフローの圧力媒体流路の中に配置され得る。
【００１７】
少なくとも１つの調節可能なスロットルは、スペースから上向きへの圧力媒体の輸送によって発生させられるロードコンパートメントの中への圧力媒体の任意のフローのフローレベルに基づいて、炉室の少なくとも１つの圧力媒体ガイド通路の少なくとも一部分の中の圧力媒体フローを選択的に阻害または妨害する（および、それによって、内側対流ループの少なくとも一部分の中の圧力媒体フローを選択的に阻害または妨害する）ように配置され得、フローは、少なくとも１つの調節可能なスロットルに入射し、または、少なくとも１つの調節可能なスロットルに衝突する。たとえば、少なくとも１つの調節可能なスロットルは、ロードコンパートメントの中への圧力媒体のフロー（それは、スペースからの上向きへの圧力媒体の輸送によって発生させられ、それは、少なくとも１つの調節可能なスロットルに入射するか、または、少なくとも１つの調節可能なスロットルに衝突する）のフローレベルが、選択されたフローレベル閾値を超える場合には、炉室の少なくとも１つの圧力媒体ガイド通路の少なくとも一部分の中の圧力媒体フローを阻害するかまたはさらには妨害するように配置され得、また、そうでない場合には、炉室の少なくとも１つの圧力媒体ガイド通路の少なくとも一部分の中の圧力媒体フローを阻害または妨害しないように配置され得る。
【００１８】
たとえば、少なくとも１つの冷却局面の間に、ロードコンパートメントの中への圧力媒体のフロー（それは、スペースから上向きへの圧力媒体の輸送によって発生させられる）が、なんらかの所定のフローレベルを超え得るように、プレス構成体は構成され得る。少なくとも１つの調節可能なスロットルは、ロードコンパートメントの中への圧力媒体のフロー（それは、スペースからの上向きへの圧力媒体の輸送によって発生させられ、それは、少なくとも１つの調節可能なスロットルに入射するか、または、少なくとも１つの調節可能なスロットルに衝突する）のフローレベルが、所定のフローレベルを超える場合には（たとえば、冷却局面の間に）、炉室の少なくとも１つの圧力媒体ガイド通路の少なくとも一部分の中の圧力媒体フローを阻害するかまたはさらには妨害するように配置され得、それによって、内側対流ループの中の循環する圧力媒体のフローが妨害または阻害され得、また、そうでない場合には（たとえば、加熱局面の間に）、炉室の少なくとも１つの圧力媒体ガイド通路の少なくとも一部分の中の圧力媒体フローを阻害または妨害しないように調整され得、それによって、内側対流ループの中の循環する圧力媒体のフローが、阻害または妨害されないことが可能である。
【００１９】
少なくとも１つの調節可能なスロットルは、炉室の少なくとも１つの圧力媒体ガイド通路の少なくとも一部分の中の圧力媒体フローを阻害または妨害することに関して、制御可能となるように配置され得る。少なくとも１つの調節可能なスロットルは、たとえば、作動メカニズムまたはシステムを設けられ得、作動メカニズムまたはシステムによって、少なくとも１つの調節可能なスロットルは、炉室の少なくとも１つの第１の圧力媒体ガイド通路の少なくとも一部分の中の圧力媒体フローを制御可能に阻害または妨害するように制御され得る。作動メカニズムまたはシステムは、たとえば、空気圧式の作動メカニズムまたはシステムであることが可能である。
【００２０】
プレス構成体は、制御ユニットまたはアクチュエーターを備えることが可能であり、制御ユニットまたはアクチュエーターは、少なくとも１つの調節可能なスロットルを制御するために、少なくとも１つの調節可能なスロットルに通信可能に連結され得る。制御ユニットは、炉室の少なくとも１つの圧力媒体ガイド通路の少なくとも一部分の中の圧力媒体フローを制御可能に阻害または妨害するように、少なくとも１つの調節可能なスロットルを制御するように構成され得る。たとえば、制御ユニットは、スペースから上向きへの圧力媒体の輸送によって発生させられるロードコンパートメントの中への圧力媒体の任意のフローのフローレベルに基づいて、炉室の少なくとも１つの圧力媒体ガイド通路の少なくとも一部分の中の圧力媒体フローを制御可能に阻害または妨害するように、少なくとも１つの調節可能なスロットルを制御するように構成され得る。
【００２１】
先述のものの中に述べられているように、プレス構成体は、ホットプレス法によって少なくとも１つの物品を処理するように構成され得、少なくとも１つの物品の処理が、少なくとも１つの加熱局面と少なくとも１つの冷却局面とを備えるようになっており、少なくとも１つの加熱局面では、少なくとも１つの物品が加熱され、少なくとも１つの冷却局面では、少なくとも１つの物品が冷却される。制御ユニットは、少なくとも１つの冷却局面の間に、炉室の少なくとも１つの圧力媒体ガイド通路の少なくとも一部分の中の圧力媒体フローを阻害または妨害するように（そして、それによって、内側対流ループの中の圧力媒体の循環するフローを場合によっては阻害または妨害するように）、および、少なくとも１つの加熱局面の間に、炉室の少なくとも１つの圧力媒体ガイド通路の少なくとも一部分の中の圧力媒体フローを阻害または妨害しないように（場合によっては、内側対流ループの中の圧力媒体の循環するフローを阻害または妨害しないように）、少なくとも１つの調節可能なスロットルを制御するように構成され得る。たとえば、少なくとも１つの加熱局面の間に、少なくとも１つの調節可能なスロットルは、内側対流ループを「開ける」ように制御され得、一方、少なくとも１つの冷却局面の間に、少なくとも１つの調節可能なスロットルは、内側対流ループを「閉じる」ように制御され得る。
【００２２】
本発明の１つまたは複数の実施形態によれば、圧力容器は、炉室の少なくとも１つの圧力媒体ガイド通路の圧力媒体流路、および、スペースからの圧力媒体の輸送によって発生させられる、ロードコンパートメントの中への圧力媒体のフローの圧力媒体流路が、少なくとも１つの圧力媒体流路交差部において交差するように配置され得る。少なくとも１つの調節可能なスロットルは、少なくとも１つの圧力媒体流路交差部に配置され得る。
【００２３】
ロードコンパートメントの中への圧力媒体のフローは、たとえば、圧力媒体導管（または、いくつかの圧力媒体導管）によるロードコンパートメントの中への圧力媒体の注入によって発生させられ得る。圧力媒体導管は、スペースの中に配置されている入口部と、入口部に連結されている中間部分と、中間部分に連結されている出口部とを有することが可能である。
【００２４】
中間部分は、たとえば、底部断熱部分を通って、ロードコンパートメントの中へ延在することが可能である。中間部分は、底部断熱部分を通ってロードコンパートメントの中へ延在することが可能であり、圧力媒体導管の出口部が、ロードコンパートメントの中にまたはロードコンパートメントの周辺部にあるようになっている。代替的には、圧力媒体導管の出口部は、底部断熱部分の中の開口部に連結され得、その出口部を経由して圧力媒体導管を退出する圧力媒体が、ロードコンパートメントの中へ注入され得るようになっている。
【００２５】
少なくとも１つの圧力媒体流路交差部は、たとえば、圧力媒体導管の中の少なくとも１つの開口部に配置され得、圧力媒体導管の中の少なくとも１つの開口部は、たとえば、圧力媒体導管の入口部と底部断熱部分との間に配置され得る。圧力媒体導管の中の少なくとも１つの開口部は、圧力媒体導管の（側）壁部の中に、たとえば、その中間部分の中に位置付けされ得る。
【００２６】
少なくとも１つの調節可能なスロットルは、圧力媒体導管の中の少なくとも１つの開口部を通る圧力媒体フローを選択的に阻害または妨害するように構成され得る。少なくとも１つの調節可能なスロットルは、たとえば、圧力媒体導管の中の少なくとも１つの開口部における、圧力媒体導管の中の圧力と圧力媒体導管の外側の圧力との間の任意の圧力差に基づいて、それが作動させられ得るように配置され得る。少なくとも１つの調節可能なスロットルは、たとえば、圧力媒体導管の外側の圧力、たとえば、圧力媒体導管の中の少なくとも１つの開口部における圧力と比較して、圧力媒体導管の中により高い圧力が存在する場合には、それが圧力媒体導管の中の少なくとも１つの開口部を通る圧力媒体フローを阻害または妨害するように構成され得る。したがって、少なくとも１つの調節可能なスロットルは、たとえば、圧力媒体導管の中の過圧条件に応答して作動させられ得る。そうでない場合には、圧力媒体導管の外側の圧力、たとえば、圧力媒体導管の中の少なくとも１つの開口部における圧力と比較して、圧力媒体導管の中により高い圧力が存在していない場合には、圧力媒体導管の中の少なくとも１つの開口部を通る圧力媒体フローは、阻害または妨害されないことが可能である。
【００２７】
本発明の１つまたは複数の実施形態によれば、少なくとも１つの調節可能なスロットルは、少なくとも１つの第１の可動スロットル本体部を備えることが可能であり、少なくとも１つの第１の可動スロットル本体部は、圧力媒体導管の中の少なくとも１つの開口部を通る圧力媒体フローを選択的に阻害または妨害するように配置されている。少なくとも１つの第１のスロットル本体部は、少なくとも、圧力媒体導管の中の少なくとも１つの開口部を通る圧力媒体フローを妨害するように、少なくとも１つの第１のスロットル本体部が圧力媒体導管の中の少なくとも１つの開口部を閉じている位置と、圧力媒体導管の中の少なくとも１つの開口部を通る圧力媒体フローを阻害または妨害しないように、少なくとも１つの第１のスロットル本体部が圧力媒体導管の中の少なくとも１つの開口部から間隔を置いて配置されている位置との間で移動可能であり得る。少なくとも１つの第１のスロットル本体部は、圧力媒体導管の中に、または、圧力媒体導管の外側に配置され得る。
【００２８】
少なくとも１つの第１のスロットル本体部は、たとえば、圧力媒体導管の中の少なくとも１つの開口部に対応する形状を有することが可能である。少なくとも１つの第１のスロットル本体部は、たとえば、圧力媒体導管の中に、または、圧力媒体導管の外側に枢動可能に配置され得る。少なくとも１つの第１のスロットル本体部は、圧力媒体導管の中の少なくとも１つの開口部の上または中に少なくとも１つの第１のスロットル本体部を枢動させることによって、少なくとも１つの第１のスロットル本体部が、圧力媒体導管の中の少なくとも１つの開口部を閉じており、それによって、圧力媒体導管の中の少なくとも１つの開口部を通る圧力媒体フローを妨害する位置と、圧力媒体導管の中の少なくとも１つの開口部を覆わないようにまたはその中に入らないように、少なくとも１つの第１のスロットル本体部を枢動させることによって、少なくとも１つの第１のスロットル本体部が、圧力媒体導管の中の少なくとも１つの開口部から間隔を置いて配置されており、それによって、圧力媒体導管の中の少なくとも１つの開口部を通る圧力媒体フローが、少なくとも１つの第１のスロットル本体部によって阻害または妨害されない位置との間で、移動可能であり得る。
【００２９】
少なくとも１つの第１のスロットル本体部は、たとえば、圧力媒体導管の外側または内側にスライド可能に配置され得る。少なくとも１つの第１のスロットル本体部は、少なくとも１つの第１のスロットル本体部が圧力媒体導管の中の少なくとも１つの開口部を覆うように、圧力媒体導管の外側または内側の上で少なくとも１つの第１のスロットル本体部をスライドさせることによって、少なくとも１つの第１のスロットル本体部が、圧力媒体導管の中の少なくとも１つの開口部を閉じており、それによって、圧力媒体導管の中の少なくとも１つの開口部を通る圧力媒体フローを妨害する位置と、少なくとも１つの第１のスロットル本体部が圧力媒体導管の中の少なくとも１つの開口部を覆わないように、圧力媒体導管の外側または内側の上で少なくとも１つの第１のスロットル本体部をスライドさせることによって、少なくとも１つの第１のスロットル本体部が、圧力媒体導管の中の少なくとも１つの開口部から間隔を置いて配置されており、それによって、圧力媒体導管の中の少なくとも１つの開口部を通る圧力媒体フローが、少なくとも１つの第１のスロットル本体部によって阻害または妨害されない位置との間で、移動可能であり得る。
【００３０】
本発明の１つまたは複数の実施形態によれば、圧力媒体導管は、少なくとも１つの圧力媒体分配導管を設けられ得、少なくとも１つの圧力媒体分配導管は、スペースから輸送される圧力媒体をロードコンパートメントの中へ注入するために、圧力媒体導管の出口部に配置されている。少なくとも１つの圧力媒体分配導管は、ディフューザーもしくは圧力媒体混合導管と称され得、および／または、ディフューザーもしくは圧力媒体混合導管を備えることが可能である。少なくとも１つの圧力媒体分配導管は、少なくとも１つの圧力媒体ガイド通路を備えることが可能であり、少なくとも１つの圧力媒体ガイド通路は、炉室の少なくとも１つの圧力媒体ガイド通路からの圧力媒体が、ロードコンパートメントに進入することを可能にし、または、その逆も同様である。少なくとも１つの調節可能なスロットルは、少なくとも１つの圧力媒体分配導管の少なくとも１つの圧力媒体ガイド通路を通る圧力媒体フローを選択的に阻害または妨害するように構成され得る。場合によっては、少なくとも１つの圧力媒体流路交差部は、少なくとも１つの圧力媒体ガイド通路に配置され得るか、または、少なくとも１つの圧力媒体ガイド通路の中に配置され得る。
【００３１】
本発明の１つまたは複数の実施形態によれば、ロードコンパートメントは、ロードコンパートメントの側壁部または横方向の壁部の中に少なくとも１つの開口部を備えることが可能である。ロードコンパートメントの側壁部の中の少なくとも１つの開口部は、炉室少なくとも１つの圧力媒体ガイド通路からの圧力媒体が、ロードコンパートメントに進入することを可能にすることができ、または、その逆も同様である。少なくとも１つの調節可能なスロットルは、ロードコンパートメントの側壁部の中の少なくとも１つの開口部を通る圧力媒体フローを選択的に阻害または妨害するように構成され得る。内側対流ループの一部は、たとえば、少なくとも１つの開口部がその中に配置され得るロードコンパートメントの側壁部の外側表面に沿っていることが可能である。場合によっては、少なくとも１つの圧力媒体流路交差部は、ロードコンパートメントの側壁部または横方向の壁部の中の少なくとも１つの開口部に配置され得る。
【００３２】
ロードコンパートメントは、処理されることとなる少なくとも１つの物品を保持するように構成されているロードバスケットによって画定され得る。ロードコンパートメントの側壁部の中の少なくとも１つの開口部は、たとえば、ロードバスケットの側壁部の中の少なくとも１つの開口部によって構成され得る。たとえば、ロードバスケットの少なくとも一部または一部分は、炉室の中に解放可能に（または、取り外し可能に）配置され得る（すなわち、固定せずに配置されている）。
【００３３】
別の例によれば、ロードバスケットの少なくとも一部または一部分は、炉室の中に解放可能に（または、取り外し可能に）配置され得るが、一方、ロードバスケットの別の一部もしくは部分（または、ロードバスケットの残りの一部もしくは部分）は、炉室の中に固定して配置され得る。たとえば、ロードコンパートメントの側壁部の中の少なくとも１つの開口部は、炉室の中に固定して配置されているロードバスケットの一部または一部分の側壁部の中の少なくとも１つの開口部によって構成され得る。
【００３４】
少なくとも１つの調節可能なスロットルは、少なくとも１つの第２の可動スロットル本体部を備えることが可能であり、少なくとも１つの第２の可動スロットル本体部は、ロードコンパートメントの側壁部の中の少なくとも１つの開口部を通る圧力媒体フローを選択的に阻害または妨害するように配置されている。少なくとも１つの第２のスロットル本体部は、少なくとも、ロードコンパートメントの側壁部の中の少なくとも１つの開口部を通る圧力媒体フローを妨害するように、少なくとも１つの第２のスロットル本体部がロードコンパートメントの側壁部の中の少なくとも１つの開口部を閉じている位置と、ロードコンパートメントの側壁部の中の少なくとも１つの開口部を通る圧力媒体フローを阻害または妨害しないように、少なくとも１つの第２のスロットル本体部がロードコンパートメントの側壁部の中の少なくとも１つの開口部から間隔を置いて配置されている位置との間で移動可能であり得る。少なくとも１つの第２のスロットル本体部は、たとえば、ロードコンパートメントの外側に配置され得る。
【００３５】
少なくとも１つの第２のスロットル本体部は、たとえば、ロードコンパートメントの側壁部の中の少なくとも１つの開口部に対応する形状または形態を有することが可能である。少なくとも１つの第２のスロットル本体部は、たとえば、ロードコンパートメントの外側に枢動可能に配置され得るが、それは、場合によっては、ロードコンパートメントの内側に配置され得る。少なくとも１つの第２のスロットル本体部は、ロードコンパートメントの側壁部の中の少なくとも１つの開口部の上または中に少なくとも１つの第２のスロットル本体部を枢動させることによって、少なくとも１つの第２のスロットル本体部が、ロードコンパートメントの側壁部の中の少なくとも１つの開口部を閉じており、それによって、ロードコンパートメントの側壁部の中の少なくとも１つの開口部を通る圧力媒体フローを妨害する位置と、ロードコンパートメントの側壁部の中の少なくとも１つの開口部を覆わないようにまたはその中に入らないように、少なくとも１つの第２のスロットル本体部を枢動させることによって、少なくとも１つの第２のスロットル本体部が、ロードコンパートメントの側壁部の中の少なくとも１つの開口部から間隔を置いて配置されており、それによって、ロードコンパートメントの側壁部の中の少なくとも１つの開口部を通る圧力媒体フローが、少なくとも１つの第２のスロットル本体部によって阻害または妨害されない位置との間で、移動可能であり得る。
【００３６】
少なくとも１つの第２のスロットル本体部は、たとえば、ロードコンパートメントの外側または内側に（たとえば、ロードコンパートメントの側壁部の外側表面に、または、ロードコンパートメントの側壁部の内側表面に）スライド可能に配置され得る。少なくとも１つの第２のスロットル本体部は、少なくとも１つの第２のスロットル本体部がロードコンパートメントの側壁部の中の少なくとも１つの開口部を覆うように、ロードコンパートメントの外側または内側の上で少なくとも１つの第２のスロットル本体部をスライドさせることによって、少なくとも１つの第２のスロットル本体部が、ロードコンパートメントの側壁部の中の少なくとも１つの開口部を閉じており、それによって、ロードコンパートメントの側壁部の中の少なくとも１つの開口部を通る圧力媒体フローを妨害する位置と、少なくとも１つの第２のスロットル本体部がロードコンパートメントの側壁部の中の少なくとも１つの開口部を覆わないように、ロードコンパートメントの外側または内側の上で少なくとも１つの第２のスロットル本体部をスライドさせることによって、少なくとも１つの第２のスロットル本体部が、ロードコンパートメントの側壁部の中の少なくとも１つの開口部から間隔を置いて配置されており、それによって、ロードコンパートメントの側壁部の中の少なくとも１つの開口部を通る圧力媒体フローが、少なくとも１つの第２のスロットル本体部によって阻害または妨害されない位置との間で、移動可能であり得る。
【００３７】
代替的にはまたは加えて、および、本発明の１つまたは複数の実施形態によれば、少なくとも１つの調節可能なスロットルは、少なくとも１つのバルブを備えることが可能である。少なくとも１つのバルブは、たとえば、バタフライバルブおよび／またはボールバルブを備えることが可能である。
【００３８】
第２の態様によれば、ホットプレス法による少なくとも１つの物品の処理のためのプレス構成体における方法が提供される。プレス構成体は、第１の態様によるプレス構成体を備えることが可能であり、または、第１の態様によるプレス構成体によって構成され得る。圧力容器を含むプレス構成体は、炉を備える炉室を備え、炉室は、断熱されたケーシングによって少なくとも部分的に取り囲まれており、炉室の中に配置されているロードコンパートメントを備える。ロードコンパートメントは、処理されることとなる少なくとも１つの物品を保持するように構成されている。炉室は、ロードコンパートメントを通る圧力媒体のフローを可能にするように配置されている。炉室は、少なくとも１つの圧力媒体ガイド通路を備え、少なくとも１つの圧力媒体ガイド通路は、断熱されたケーシングとロードコンパートメントとの間に少なくとも部分的に形成されており、内側対流ループを形成するようにロードコンパートメントと流体連通している。内側対流ループの中の圧力媒体は、ロードコンパートメントを通してガイドされ、炉室の少なくとも１つの圧力媒体ガイド通路を通してガイドされ、ロードコンパートメントに戻るようにガイドされ、または、その逆も同様である。方法は、少なくとも１つの調節可能なスロットルによって炉室の少なくとも１つの圧力媒体ガイド通路の少なくとも一部分の中の圧力媒体フローを選択的に阻害または妨害し、それによって、内側対流ループの中の圧力媒体のフローを選択的に阻害または妨害するステップを備える。
【００３９】
本発明のさらなる目的および利点は、例示的な実施形態によって以下に説明されている。本発明は、特許請求の範囲に記載されている特徴の考えられるすべての組み合わせに関するということが留意される。本発明のさらなる特徴および利点は、添付の特許請求の範囲および本明細書での説明を検討すると、明らかになることとなる。本発明の異なる特徴は、本明細書で説明されているもの以外の実施形態を生成させるために組み合わせられ得るということを当業者は認識する。
【００４０】
本発明の例示的な実施形態が、添付の図面を参照して下記に説明されることとなる。
【図面の簡単な説明】
【００４１】
【図１】本発明の実施形態によるプレス構成体の部分的に断面の概略側面図。
【図２】本発明の実施形態によるプレス構成体の部分的に断面の概略側面図。
【図３】本発明の実施形態によるプレス構成体の一部分の部分的に断面の概略側面図。
【図４】本発明の実施形態によるプレス構成体の中の圧力媒体導管の概略図。
【図５】本発明の実施形態によるプレス構成体の部分的に断面の概略側面図。
【図６】本発明の実施形態によるプレス構成体の部分的に断面の概略側面図。
【図７】本発明の実施形態によるプレス構成体の一部分の部分的に断面の概略側面図。
【図８】本発明の実施形態によるプレス構成体の一部分の部分的に断面の概略側面図。
【発明を実施するための形態】
【００４２】
すべての図は、概略的なものであり、必ずしも正しい縮尺になっているわけではなく、一般的に、本発明の実施形態を明瞭にするために必要なパーツのみを示しており、他のパーツは、省略されるかまたは単に示唆されているに過ぎない可能性がある。
【００４３】
ここで、本発明が、添付の図面を参照して、以降で説明されることとなり、添付の図面では、本発明の例示的な実施形態が示されている。しかし、本発明は、多くの異なる形態で具現化され得、本明細書で記載されている本発明の実施形態に限定されるものとして解釈されるべきではない。むしろ、これらの実施形態は、例として提供されており、この開示が、本発明の範囲を当業者に伝えることとなるようになっている。
【００４４】
図１および図２は、本発明の実施形態によるプレス構成体１００の部分的に断面の概略側面図である。プレス構成体１００は、たとえば、ホットプレス法によって少なくとも１つの物品（図１および図２には示されていない）を処理するように構成されており、少なくとも１つの物品の処理が、少なくとも１つの加熱局面（加熱局面では、少なくとも１つの物品が加熱される）と、少なくとも１つの冷却局面（冷却局面では、少なくとも１つの物品が冷却される）とを備えるようになっている。以下にさらに説明されることとなるように、図１は、冷却局面の間のプレス構成体１００を図示しており、図２は、加熱局面の間のプレス構成体１００を図示している。
【００４５】
プレス構成体１００は、圧力容器２を含み、圧力容器２は、圧力シリンダー１と、上部端部クロージャー３と、底部端部部分４とを含む。圧力容器２は、炉室１８を含み、炉室１８は、たとえば、処理サイクルの加熱局面の間に、圧力容器２の中の圧力媒体の加熱のために、炉、または、ヒーターもしくは加熱エレメントを備える。炉は、参照番号３６によって、図１に概略的に示されている。図１に図示されている本発明の実施形態によれば、炉３６は、炉室１８の下側部分に配置され得、また、炉室１８の内側サイドの表面、または、横方向の表面に近接して配置され得る。炉室１８に関連する（たとえば、炉室１８の中の）炉３６の異なる構成および配置も可能であるということが理解されるべきである。炉室１８に関連する（たとえば、炉室１８の中の）その配置に関して、炉３６の任意の実装形態が、本明細書で説明されている本発明の実施形態のうちの任意の１つの中で使用され得る。本出願の文脈において、「炉」という用語は、加熱を提供するためのエレメントまたは手段を表しており、一方、「炉室」という用語は、炉、および、場合によっては、ロードコンパートメントおよび任意の物品が、その中に位置付けされているエリアまたは領域を表している。
【００４６】
図１に図示されているように、炉室１８は、圧力容器２の内側スペースの全体を占有していなくてもよく、炉室１８の周りに圧力容器２の内部の中間スペース１０を残すことが可能である。中間スペース１０は、圧力媒体ガイド通路１０を形成している。プレス構成体１００の動作の間に、中間スペース１０の中の温度は、炉室１８の中の温度よりも低くなっていることが可能であるが、中間スペース１０および炉室１８は、等しいまたは実質的に等しい圧力にあることが可能である。
【００４７】
圧力シリンダー１の外側壁部の外側表面は、チャネル、導管、またはチューブなど（図１および図２には示されていない）を設けられていることが可能であり、そのチャネル、導管、またはチューブは、たとえば、圧力シリンダー１の外側壁部の外側表面と接続した状態になるように配置され得、また、圧力シリンダー１の軸線方向に対して平行に走るように配置され得る。圧力シリンダー１の壁部の冷却のための冷却剤が、チャネル、導管、またはチューブの中に提供され得、それによって、圧力シリンダー１の壁部は、圧力シリンダー１の動作の間に蓄積する有害な熱から壁部を保護するために冷却され得る。チャネル、導管、またはチューブの中の冷却剤は、たとえば、水を備えることが可能であるが、別のまたは他のタイプの冷却剤も可能である。上述のチャネル、導管、またはチューブなどは、本発明の１つまたは複数の他の実施形態の中で使用され得、たとえば、図５から図８を参照して本明細書で説明されている実施形態のうちの任意の１つの中などで使用され得る。
【００４８】
圧力シリンダー１の外側壁部の外側の表面の上に、ならびに、場合によっては、先述のものの中に説明されているような冷却剤のための任意のチャネル、導管、および／またはチューブなどの上に、プレストレッシング手段（pre-stressing means）が設けられ得る。プレストレッシング手段（図１および図２には示されていない）は、たとえば、圧力シリンダー１の外側壁部の外側の表面の周りに、および、場合によっては、また、その上に提供され得る冷却剤のための任意のチャネル、導管、および／またはチューブなどの周りに、１つまたは複数のバンドを形成するように複数回（好ましくは、いくつかの層で）巻き付けられたワイヤー（たとえば、スチールから作製されている）の形態で設けられ得る。プレストレッシング手段は、圧力シリンダー１に半径方向の圧縮力を働かせるように配置され得る。そのようなプレストレッシング手段は、本発明の１つまたは複数の他の実施形態の中で使用され得、たとえば、図５から図８を参照して本明細書で説明されている実施形態のうちの任意の１つの中などで使用され得る。
【００４９】
図１および図２のいずれかに明示的に示されていないとしても、圧力容器２は、それが開閉され得るように配置され得、圧力容器２の中の任意の物品が挿入または除去され得るようになっている。圧力容器２をそれが開閉され得るように配置することは、当技術分野で知られているように、複数の異なる様式で現実化され得る。図１および図２に明示的に示されてはいないが、上部端部クロージャー３は、それが開閉され得るように配置され得る。底部端部部分４は、場合によっては、それが開閉され得るように配置され得る。
【００５０】
炉室１８は、断熱されたケーシング６、７、１７によって少なくとも部分的に取り囲まれている。図１に図示されている本発明の実施形態によれば、断熱されたケーシング６、７、１７は、断熱部分７と、断熱部分７を部分的に囲んでいるハウジング６と、底部断熱部分１７とを備える。断熱されたケーシングは、参照番号６、７、１７によって集合的に参照されているが、断熱されたケーシング６、７、１７のエレメントのすべてが、断熱されるかまたは断熱するように配置され得るわけではない。たとえば、ハウジング６は、断熱されるかまたは断熱するように配置されなくてもよい。
【００５１】
炉室１８は、炉室１８の中に配置されたロードコンパートメント１９を備え、そのロードコンパートメント１９は、処理されることとなる少なくとも１つの物品（図１および図２には示されていない）を保持するように構成されている。炉室１８は、ロードコンパートメント１９を通る圧力媒体のフローを可能にするように配置されている。炉室１８は、圧力媒体ガイド通路１２、または、場合によっては、いくつかの圧力媒体ガイド通路を備え、圧力媒体ガイド通路１２は、図１および図２に図示されているように、断熱されたケーシング６、７、１７とロードコンパートメント１９との間に部分的に形成されている。圧力媒体ガイド通路１２は、ロードコンパートメント１９と流体連通しており、炉室１８の内側対流ループを形成するようになっている。炉室１８の内側対流ループは、内側対流ループの中の圧力媒体がロードコンパートメント１９を通してガイドされ、炉室１８の圧力媒体ガイド通路１２を通してガイドされ、ロードコンパートメント１９に戻るようにガイドされ得るように配置されており、または、その逆も同様である。
【００５２】
図１および図２に図示されている本発明の実施形態によれば、炉３６は、圧力媒体ガイド通路１２の一部の中に配置されている。しかし、圧力媒体ガイド通路１２の中の炉３６の位置は、例にしたがったものとなっており、また、先述のものに示されているように、炉室１８に関連する（たとえば、炉室１８の中の）炉３６の異なる構成および配置も可能であるということが理解されるべきである。
【００５３】
圧力媒体ガイド通路１１は、断熱部分７とハウジング６との間に形成されている。図１に図示されているように、圧力媒体ガイド通路１０および１１は、炉室１８と流体連通しており、圧力容器２の中の外側冷却ループの少なくとも一部を形成するように配置されている。処理サイクルの冷却局面の間の圧力媒体の例示的なフローが、図１に示されている圧力容器２の中の矢印によって図示されている。外側冷却ループの一部は、それぞれ、ハウジング６の一部分と断熱部分７の一部分との間に形成された圧力媒体ガイド通路１１を備える。圧力媒体ガイド通路１１は、炉室１８を退出した後の圧力媒体を、上部端部クロージャー３に向けて、上部端部クロージャー３と炉室１８との間のスペースへガイドするように配置されており、そのスペースの中には、図１および図２に図示されているように、熱吸収エレメント４０が配置され得る。
【００５４】
圧力媒体は、熱吸収エレメント４０の第１の側部４４における入口部または開口部４１を介して、熱吸収エレメント４０に進入することが可能である。熱吸収エレメント４０は、圧力媒体が、熱吸収エレメント４０の第２の側部４５における熱吸収エレメント４０の複数の出口部または開口部４３に向けて、熱吸収エレメント４０を通してガイドされることを可能にするように構成されており、その複数の出口部または開口部４３を介して、圧力媒体は熱吸収エレメント４０を退出することが可能である。図１および図２に図示されているように、熱吸収エレメント４０の第１の側部４４、および、熱吸収エレメント４０の第２の側部４５は、たとえば、熱吸収エレメント４０の反対側の側部であることが可能である。複数の入口部４１および複数の出口部４３を有することは必要ではないということが理解されるべきである。場合によっては、熱吸収エレメント４０の第１の側部４４の上に１つだけの入口部４１が存在することが可能であり、また、場合によっては、熱吸収エレメント４０の第２の側部４５の上に１つだけの出口部４３が存在することが可能である。
【００５５】
熱吸収エレメント４０は、たとえば、熱吸収エレメント４０の中に複数の圧力媒体ガイドチャネル（図１および図２には示されていない）を備えるように配置され得る。複数の圧力媒体ガイドチャネルは、熱吸収エレメント４０の中へ進入したその内部の中の圧力媒体を、熱吸収エレメント４０の出口部または開口部４３に向けてまたはそこへガイドするように配置され得る。熱吸収エレメント４０の他の構成も可能である。代替的にはまたは加えて、熱吸収エレメント４０の内部は、たとえば、１つまたは複数の蓄熱エレメント、たとえば、比較的高い熱伝導率を有する金属または別の材料から作製された複数の球体などを含むことが可能である（図１および図２には示されていない）。代替的にはまたは加えて、熱吸収エレメント４０の内部は、比較的高い熱伝導率を有する材料の多孔性の構造体を含むことが可能である（図１および図２には示されていない）。たとえば、熱吸収エレメント４０の内部は、場合によっては、相互接続した細孔を有する金属フォーム、たとえば、いわゆる、オープンフォームを含むことが可能である。
【００５６】
熱吸収エレメント４０は、たとえば、１つまたは複数の支持構造体（図１および図２には示されていない）によって、上部端部クロージャー３と炉室１８との間のスペースの中に懸架または配置され得、その支持構造体は、たとえば、ハウジング６におよび／または断熱部分７に取り付けられ得る。
【００５７】
図１に最良に図示されているように、圧力媒体は、ロードコンパートメント１９を退出することが可能であり、その後に、ロードコンパートメント１９の壁部と断熱部分７との間で、圧力媒体ガイド通路１２の一部の中をガイドされ得、その後に、圧力媒体は、断熱部分７とハウジング６との間の開口部を経由して、圧力媒体ガイド通路１１の中へ進入することが可能である。断熱部分７とハウジング６との間の開口部は、場合によっては、バルブまたは任意の他のタイプの圧力媒体フロー制限手段を設けられ得る。熱吸収エレメント４０を退出する圧力媒体は、ハウジング６の一部分の中の（少なくとも）開口部を介して、上部端部クロージャー３の内側表面によって部分的に画定されたスペースによって画定された圧力媒体ガイド通路、および、圧力媒体ガイド通路１０へガイドされ得る。
【００５８】
熱吸収エレメント４０は、随意的なものであり、省略され得、圧力媒体ガイド通路１１の中を上部端部クロージャー３に向けてガイドされる圧力媒体は、ハウジング６の一部分の中の（少なくとも）開口部を介して、上部端部クロージャー３の内側表面によって部分的に画定されたスペースによって画定された圧力媒体ガイド通路、および、圧力媒体ガイド通路１０へ、圧力媒体ガイド通路１１を退出することが可能であるということが理解されるべきである。
【００５９】
外側冷却ループの別のパートは、上部端部クロージャー３の内側表面によって部分的に画定されたスペースによって画定された圧力媒体ガイド通路（たとえば、上部端部クロージャー３の下方）と、圧力媒体ガイド通路１０とを備える。上部端部クロージャー３の内側表面によって部分的に画定されたスペースによって画定された圧力媒体ガイド通路、および、圧力媒体ガイド通路１０は、圧力媒体が炉室１８の中へ再進入する前に、上部端部クロージャー３に近接して、ならびに、圧力容器２の壁部（たとえば、それぞれ、図１および図２に図示されているように、圧力シリンダー１の壁部）の内側表面に近接して、熱吸収エレメント４０を退出した圧力媒体をガイドするように配置されている。したがって、外側冷却ループの他のパートにおいて、圧力媒体は、上部端部クロージャー３の内側表面、および、圧力シリンダー１の壁部の内側表面に近接してガイドされる。上部端部クロージャー３の内側表面および圧力シリンダー１の壁部の内側表面に近接したその通過の間に圧力媒体から伝達され得る熱エネルギーの量は、以下のうちの少なくとも１つに依存し得る：圧力媒体の速度、上部端部クロージャー３の内側表面および圧力シリンダー１の壁部の内側表面と（直接的な）接触をしている圧力媒体の量、圧力媒体と上部端部クロージャー３の内側表面および圧力シリンダー１の壁部の内側表面との間の相対的な温度差、上部端部クロージャー３の厚さおよび圧力シリンダー１の厚さ、ならびに、圧力シリンダー１の壁部の外側表面の上に設けられているチャネル、導管、またはチューブの中の冷却剤の任意のフローの温度。
【００６０】
処理サイクルの加熱局面の間の圧力媒体の例示的なフローが、図２に示されている圧力容器２の中の矢印によって図示されている。図２に図示されているように、処理サイクルの加熱局面の間に、図２のロードコンパートメント１９の中の概して下向きの矢印によって示されている方向に、ロードコンパートメント１９を通る圧力媒体の下向きのフローが存在することが可能である。そして、図１に図示されているように、処理サイクルの冷却局面の間に、図１のロードコンパートメント１９の中の上向きの矢印によって示されている方向に、ロードコンパートメント１９を通る圧力媒体の上向きのフローが存在することが可能である。
【００６１】
先述のものの中に説明されているように、炉室１８は、圧力媒体ガイド通路１２を備え、圧力媒体ガイド通路１２は、断熱されたケーシング６、７、１７とロードコンパートメント１９との間に部分的に形成されており、ロードコンパートメント１９と流体連通しており、炉室１８の内側対流ループを形成するようになっている。先述のものの中に説明されているように、炉室１８の内側対流ループは、内側対流ループの中の圧力媒体がロードコンパートメント１９を通してガイドされ、炉室１８の圧力媒体ガイド通路１２を通してガイドされ、ロードコンパートメント１９に戻るようにガイドされ得るように配置されており、または、その逆も同様であり、それによって、内側対流ループの中の圧力媒体の循環フローが実現され得る。
【００６２】
圧力容器２は、調節可能なスロットル１５を備え、調節可能なスロットル１５は、炉室１８の圧力媒体ガイド通路１２の少なくとも一部分の中の圧力媒体フローを選択的に阻害または妨害するように構成されている。たとえば、調節可能なスロットル１５は、炉室１８の圧力媒体ガイド通路１２の少なくとも一部分の中の圧力媒体フローを選択的に阻害または妨害するように構成され得、炉室１８の内側対流ループの中の圧力媒体の循環フローを選択的に阻害または妨害するようになっている。
【００６３】
圧力容器２は、フロー発生器１６を備え、フロー発生器１６は、スペース５からの圧力媒体の輸送によって、および、ロードコンパートメント１９の中への圧力媒体の注入によって、ロードコンパートメント１９の中への圧力媒体のフローを選択的に発生させるように構成されている。スペース５は、圧力容器２の底部断熱部分１７と圧力容器２の底部端部部分４との間に位置付けされている。図１および図２に図示されている本発明の実施形態によれば、フロー発生器１６は、エジェクター構成体１６を備え、エジェクター構成体１６は、図１および図２に概略的に図示されている。図１に最良に図示されているように、スペース５に進入する圧力媒体ガイド通路１０からの圧力媒体は、フロー発生器１６の中へ引き込まれ得、その後に、フロー発生器１６から圧力媒体導管２０、２１、２２の中へ噴出され得る。圧力媒体導管２０、２１、２２は、スペース５の中に配置されている入口部２１と、入口部２１に連結されている中間部分２０と、中間部分２０に連結されている出口部２２とを有している。図１および図２に図示されている本発明の実施形態によれば、圧力媒体導管２０、２１、２２は、スペース５から輸送された圧力媒体をロードコンパートメント１９の中へ注入するために、圧力媒体導管２０、２１、２２の出口部２２において、圧力媒体分配導管８を設けられている。圧力媒体分配導管８は、圧力媒体導管２０、２１、２２からその出口部２２を介して炉室１８のロードコンパートメント１９の中へ出力される圧力媒体を拡散させるように構成され得る。したがって、圧力媒体分配導管８は、本発明の１つまたは複数の実施形態によれば、ディフューザーと称され得る。図１および図２に図示されているように、中間部分２０は、ロードコンパートメント１９の中へ延在することが可能であり、出口部２２がロードコンパートメント１９の中に位置付けされるようになっている。
【００６４】
フロー発生器１６（たとえば、エジェクター構成体１６を備える）は、単一段式のエジェクター、または、多段式のエジェクター（たとえば、２段式のエジェクター）を備えることが可能である。単一段式のエジェクターによって、フロー発生器１６またはエジェクター構成体１６が、１つのフロー発生器またはエジェクターを備えるということを意味している。多段式のエジェクターによって、フロー発生器１６またはエジェクター構成体１６が、複数のフロー発生器またはエジェクターを備え、複数のフロー発生器またはエジェクターは、少なくとも１つのフロー発生器またはエジェクターからの出力が別のフロー発生器またはエジェクターに入力されるように配置されているということを意味している。複数のフロー発生器またはエジェクターは、たとえば、直列に配置され得る。たとえば、フロー発生器１６またはエジェクター構成体１６は、１次フロー発生器またはエジェクターと、２次フロー発生器またはエジェクターとを備えることが可能であり、１次フロー発生器またはエジェクターは、スペース５に進入する圧力媒体ガイド通路１０から１次フロー発生器またはエジェクターの中へ圧力媒体を引き込むように配置されている。１次フロー発生器またはエジェクターからの出力は、２次フロー発生器またはエジェクターの中へ入力され得、２次フロー発生器またはエジェクターからの出力は、圧力媒体導管２０、２１、２２の中へ噴出され得る。
【００６５】
代替的にはまたは加えて、フロー発生器１６は、たとえば、１つまたは複数のファンまたはポンプなどを備えることが可能であり、それは、圧力媒体導管２０、２１、２２の中への圧力媒体のフローを引き起こすように配置され得る。
【００６６】
図１に最良に図示されているように、たとえば、処理サイクルの冷却局面の間に、スペース５からの圧力媒体の輸送によって発生させられる、ロードコンパートメント１９の中への圧力媒体のフローの圧力媒体流路が存在することが可能である。そして、恐らく図２に最良に図示されているように、たとえば、処理サイクルの加熱局面の間に、炉室１８の圧力媒体ガイド通路１２の圧力媒体流路が確立され得る。スペース５からの圧力媒体の輸送によって発生させられる、ロードコンパートメント１９の中への圧力媒体のフローの圧力媒体流路、および、炉室１８の圧力媒体ガイド通路１２の圧力媒体流路は、図１および図２に図示されているように、圧力媒体流路交差部１４において交差することが可能である。図１および図２に図示されている本発明の実施形態によれば、調節可能なスロットル１５は、たとえば、圧力媒体流路交差部１４に配置され得る。図１および図２に図示されている圧力媒体流路交差部１４の位置は、例にしたがったものになっているということ、および、圧力媒体流路交差部１４は、図１および図２に図示されている位置とは異なる圧力容器２の中の位置に位置付けされ得るということが理解されるべきである。
【００６７】
図１および図２に図示されている本発明の実施形態によれば、圧力媒体導管２０、２１、２２は、複数の開口部をその中に備えることが可能であり、その開口部は、出口部２２と底部断熱部分１７との間に配置され得る。開口部は、恐らく図３に最良に図示されており、図３は、図１および図２に図示されているプレス構成体１００の一部分の部分的に断面の概略側面図である。図３は、中間部分２０の一部と出口部２２とを含む、圧力媒体導管２０、２１、２２の一部分を図示している。図３に図示されているように、圧力媒体導管２０、２１、２２は、複数の開口部２３、２４、２５をその中に備えることが可能である。図３に示されているように、圧力媒体導管２０、２１、２２の中に複数の開口部が存在することが可能であり、その開口部は、互いから間隔を置いて配置されており、場合によっては、中間部分２０の円周方向の表面の周りに等距離に配置されており、場合によっては、圧力媒体導管２０、２１、２２の軸線方向の延在に沿って、同じまたは実質的に同じ高さに配置されている。したがって、圧力媒体導管２０、２１、２２の中の開口部のうちのいくつかだけが、図３に示され得る。
【００６８】
図１および図２をさらに参照すると、圧力容器２は、調節可能なスロットル１５を備え、調節可能なスロットル１５は、炉室１８の圧力媒体ガイド通路１２の少なくとも一部分の中の圧力媒体フローを選択的に阻害または妨害するように構成されており、それによって、炉室１８の内側対流ループの少なくとも一部分の中の圧力媒体のフローを選択的に阻害または妨害する。たとえば、調節可能なスロットル１５は、炉室１８の圧力媒体ガイド通路１２の少なくとも一部分の中の圧力媒体フローを選択的に阻害または妨害するように構成され得、炉室１８の内側対流ループの中の圧力媒体の循環フローを選択的に阻害または妨害するようになっている。
【００６９】
図３は、本発明の例示的な実施形態による調節可能なスロットル１５を図示している。図３に図示されている調節可能なスロットル１５は、圧力媒体導管２０、２１、２２の中の開口部２３、２４、２５を通る圧力媒体フローを選択的に阻害または妨害するように構成されている。調節可能なスロットル１５は、複数の可動スロットル本体部３０、３１、３２を備え、複数の可動スロットル本体部３０、３１、３２は、圧力媒体導管２０、２１、２２の中の開口部２３、２４、２５のそれぞれ１つを通る圧力媒体フローを選択的に阻害または妨害するように配置されている。図３に図示されているように、スロットル本体部３０は、開口部２３を通る圧力媒体フローを選択的に阻害または妨害するように配置されており、スロットル本体部３１は、開口部２４を通る圧力媒体フローを選択的に阻害または妨害するように配置されており、スロットル本体部３２は、開口部２５を通る圧力媒体フローを選択的に阻害または妨害するように配置されている。スロットル本体部３０、３１、３２のそれぞれは、少なくとも、それぞれの開口部２３、２４、２５を通る圧力媒体フローを妨害するように、スロットル本体部３０、３１、３２が対応する開口部２３、２４、２５を閉じている位置と、それぞれの開口部２３、２４、２５を通る圧力媒体フローを阻害または妨害しないように、スロットル本体部３０、３１、３２がそれぞれの開口部２３、２４、２５から間隔を置いて配置されている位置（この位置が、図３に図示されている）との間で移動可能であり得る。
【００７０】
図３に図示されているように、スロットル本体部３０、３１、３２のそれぞれは、開口部２３、２４、２５のそれぞれ１つに対応する形状を有することが可能である。スロットル本体部３０、３１、３２のそれぞれは、たとえば、圧力媒体導管２０、２１、２２の中に、または、圧力媒体導管２０、２１、２２の外側に、枢動可能に配置され得る。そのうえ、スロットル本体部３０、３１、３２のそれぞれは、スロットル本体部３０、３１、３２がそれぞれの開口部２３、２４、２５を閉じている位置と、それぞれの開口部２３、２４、２５を覆わないようにまたはその中に入らないように、スロットル本体部３０、３１、３２を枢動させることによって、スロットル本体部３０、３１、３２がそれぞれの開口部２３、２４、２５から間隔を置いて配置されている位置との間で、枢動可能に移動可能となるように配置され得る。
【００７１】
図３に図示されているように、スロットル本体部３０、３１、３２のそれぞれは、圧力媒体導管２０、２１、２２の中に配置され得る。たとえば、スロットル本体部３０、３１、３２のそれぞれは、スロットル本体部３０、３１、３２が、それを通る圧力媒体フローを阻害または妨害しないように、それがそれぞれの開口部２３、２４、２５から間隔を置いて配置されている位置にあるときに、それが圧力媒体導管２０、２１、２２の中に位置付けされるように配置され得る。しかし、これは必要とされるわけではなく、本発明の１つまたは複数の実施形態によれば、スロットル本体部３０、３１、３２のそれぞれは、圧力媒体導管２０、２１、２２の外側に配置され得、スロットル本体部３０、３１、３２のそれぞれは、スロットル本体部３０、３１、３２が、それを通る圧力媒体フローを阻害または妨害しないように、それがそれぞれの開口部２３、２４、２５から間隔を置いて配置されている位置にあるときに、それが圧力媒体導管２０、２１、２２の外側に位置付けされるように配置されているようになっている。
【００７２】
調節可能なスロットル１５は、たとえば、開口部２３、２４、２５における、圧力媒体導管２０、２１、２２の中の圧力と圧力媒体導管２０、２１、２２の外側の圧力との間の任意の圧力差に基づいて、それが作動させられ得るように配置され得る。調節可能なスロットル１５は、たとえば、圧力媒体導管２０、２１、２２の外側と比較したときに、圧力媒体導管２０、２１、２２の中により高い圧力が存在する場合には、調節可能なスロットル１５は、開口部２３、２４、２５を通る圧力媒体フローを阻害または妨害し、そうでない場合には、調節可能なスロットル１５は、開口部２３、２４、２５を通る圧力媒体フローを阻害または妨害しないことが可能であるように構成され得る。したがって、調節可能なスロットル１５、および、とりわけ、そのスロットル本体部３０、３１、３２は、圧力に基づいて、自己調節するかまたは「自己バランスされる」ことが可能である。したがって、調節可能なスロットル１５は、たとえば、圧力媒体導管２０、２１、２２の中の過圧条件に応答して作動させられ得、それが、開口部２３、２４、２５を通る圧力媒体フローを阻害または妨害するようになっている。
【００７３】
代替的にはまたは加えて、調節可能なスロットル１５は、炉室１８の圧力媒体ガイド通路１２の少なくとも一部分の中の圧力媒体フローを阻害または妨害することに関して、それが制御可能であるように配置され得る。
【００７４】
図１および図２をさらに参照すると、プレス構成体１００は、制御ユニットを備えることが可能であり、制御ユニットは、図１および図２の中のエレメント９によって概略的に示されている。制御ユニット９は、炉室１８の圧力媒体ガイド通路１２の少なくとも一部分の中の圧力媒体フローを制御可能に阻害または妨害するように、調節可能なスロットル１５を制御するために、調節可能なスロットル１５に通信可能に連結され得る。その目的のために、プレス構成体１００は、作動メカニズムまたはシステム（図１および図２には示されていない）を備えることが可能であり、または、調節可能なスロットル１５は、作動メカニズムまたはシステムを設けられ得、作動メカニズムまたはシステムによって、調節可能なスロットル１５は、炉室１８の圧力媒体ガイド通路１２の少なくとも一部分の中の圧力媒体フローを制御可能に阻害または妨害するように制御され得る。作動メカニズムまたはシステムは、たとえば、空気圧式の作動メカニズムまたはシステムであることが可能である。制御ユニット９と調節可能なスロットル１５（および／または、作動メカニズムまたはシステム）との間の通信可能な連結は、たとえば、当技術分野で知られているような任意の適当なワイヤードおよび／またはワイヤレス通信手段または技法によって、現実化されるかまたは実装され得る。制御ユニット９は、スペース５から上向きへの圧力媒体の輸送によって発生させられるロードコンパートメント１９の中への圧力媒体の任意のフローのフローレベルに基づいて、炉室１８の圧力媒体ガイド通路１２の少なくとも一部分の中の圧力媒体フローを制御可能に阻害または妨害するように、調節可能なスロットル１５を制御するように構成され得、そのフローは、調節可能なスロットル１５に入射し、または、調節可能なスロットル１５に衝突する。この目的のために、制御ユニット９は、スペース５から上向きへの圧力媒体の輸送によって発生させられるロードコンパートメント１９の中への圧力媒体の任意のフローのフローレベルをセンシングするために、圧力媒体フローセンサー（図１および図２には示されていない）と通信可能に連結され得る。
【００７５】
先述のものの中に説明されているように、プレス構成体１００は、たとえば、ホットプレス法によって少なくとも１つの物品を処理するように構成されており、少なくとも１つの物品の処理が、少なくとも１つの加熱局面（加熱局面では、少なくとも１つの物品が加熱される）と、少なくとも１つの冷却局面（冷却局面では、少なくとも１つの物品が冷却される）とを備えるようになっている。図１は、冷却局面の間のプレス構成体１００を図示しており、図２は、加熱局面の間のプレス構成体１００を図示している。制御ユニット９は、冷却局面の間に、炉室１８の圧力媒体ガイド通路１２の少なくとも一部分の中の圧力媒体フローを阻害または妨害するように、場合によっては、炉室１８の内側対流ループの中の循環する圧力媒体フローを阻害または妨害するように、また、加熱局面の間に、炉室１８の少なくとも１つの圧力媒体ガイド通路１２の少なくとも一部分の中の圧力媒体フローを阻害または妨害しないように、場合によっては、炉室１８の内側対流ループの中の循環する圧力媒体フローを阻害または妨害しないように、調節可能なスロットルを制御するように構成され得る。したがって、加熱局面の間に、調節可能なスロットル１５は、炉室１８の内側対流ループを「開ける」ように制御され得、内側対流ループの中の循環する圧力媒体フローを可能にするようになっており、一方、冷却局面の間に、調節可能なスロットル１５は、炉室１８の内側対流ループを「閉じる」ように制御され得、内側対流ループの中の循環する圧力媒体フローを可能にしないようになっており、または、内側対流ループの中の比較的小さい循環する圧力媒体フローのみを可能にするようになっている。
【００７６】
図３に図示されているようなものなど、および、図１および図２にも図示されているようなものなど、複数の可動スロットル本体部３０、３１、３２を備える調節可能なスロットル１５は、例にしたがったものになっており、調節可能なスロットル１５は、他の方式でも実装され得るということが理解されるべきである。
【００７７】
図４は、本発明の実施形態によるプレス構成体の中の圧力媒体導管の概略図である。図４に図示されている圧力媒体導管は、図１から図３に図示されている圧力媒体導管２０、２１、２２と同様であり、図４に図示されている圧力媒体導管は、図１から図３に図示されている圧力媒体導管２０、２１、２２と同じまたは実質的に同じ圧力容器２の中の位置に位置付けされ得る。
【００７８】
図４に図示されている圧力媒体導管は、図１から図３に図示されている圧力媒体導管２０、２１、２２の中間部分２０と同様の中間部分２０を備える。図４に図示されている圧力媒体導管の中間部分２０は、複数の開口部２６、２７、２８を備え、複数の開口部２６、２７、２８は、場合によっては、図４に図示されているものなどのように、圧力媒体導管の軸線方向の延在に沿って、同じまたは実質的に同じ高さに位置付けされ得る。圧力媒体導管の中の開口部２６、２７、２８のうちのいくつかだけが、図４の中で参照番号によって示されている。
【００７９】
図４に図示されている本発明の実施形態によれば、調節可能なスロットルは、スロットル本体部３３を備え、スロットル本体部３３は、圧力媒体導管の外側に、および、とりわけ、その中間部分２０の外側に、スライド可能に配置されている。スロットル本体部３３は、図４の右手側に図示されている位置と図４の左手側に図示されている位置との間で移動可能であり、図４の右手側に図示されている位置では、スロットル本体部３３が圧力媒体導管の中の開口部２６、２７、２８を覆うように、圧力媒体導管の外側の上でスロットル本体部３３をスライドさせることによって、スロットル本体部３３は、圧力媒体導管の中の開口部２６、２７、２８を閉じており、それによって、開口部２６、２７、２８を通る圧力媒体フローを妨害しており、また、図４の左手側に図示されている位置では、スロットル本体部３３は、スロットル本体部３３が開口部２６、２７、２８を覆わないように、圧力媒体導管の外側の上でスロットル本体部３３をスライドさせることによって、（たとえば、図４に図示されているように、圧力媒体導管の軸線方向の延在に沿って）開口部２６、２７、２８から間隔を置いて配置されており、それによって、開口部２６、２７、２８を通る圧力媒体フローは、スロットル本体部３３によって阻害または妨害されない。スロットル本体部３３は、必ずしも、圧力媒体導管の外側にスライド可能に配置されなければならないわけではなく、それは、代替的に、圧力媒体導管の内側にスライド可能に配置され得るということが理解されるべきである。
【００８０】
図４に図示されているように、プレス構成体は、制御ユニット９を備えることが可能であり、制御ユニット９は、図４の右手側に図示されている位置と図４の左手側に図示されている位置との間で移動させられるように、スロットル本体部３３を制御するために、調節可能なスロットルに、たとえば、スロットル本体部３３に通信可能に連結され得る（図４に示されていない）。その目的のために、プレス構成体は、制御ユニット９と通信可能に連結されている作動メカニズムまたはシステムを備えることが可能であり、作動メカニズムまたはシステムによって、調節可能なスロットルまたはスロットル本体部３３は、図４の右手側に図示されている位置と図４の左手側に図示されている位置との間で移動させられ得る。
【００８１】
図５および図６は、本発明の別の実施形態によるプレス構成体１００の部分的に断面の概略側面図である。図５および図６に図示されているプレス構成体１００は、図１および図２に図示されているプレス構成体１００と同様であり、図１および図２の中の、ならびに、図５および図６の中の同じ参照番号は、同じまたは同様の機能を有する、同じまたは同様のコンポーネントを示している。
【００８２】
図５および図６に図示されているプレス構成体１００は、ホットプレス法によって少なくとも１つの物品（図５および図６には示されていない）を処理するように構成されており、少なくとも１つの物品の処理が、少なくとも１つの加熱局面（加熱局面では、少なくとも１つの物品が加熱される）と、少なくとも１つの冷却局面（冷却局面では、少なくとも１つの物品が冷却される）とを備えるようになっている。図５は、冷却局面の間のプレス構成体１００を図示しており、図６は、加熱局面の間のプレス構成体１００を図示している。処理サイクルの冷却局面の間の圧力媒体の例示的なフローが、図５に示されている圧力容器２の中の矢印によって図示されており、処理サイクルの加熱局面の間の圧力媒体の例示的なフローが、図６に示されている圧力容器２の中の矢印によって図示されている。図５および図６に図示されているように、処理サイクルの加熱局面の間に、図６のロードコンパートメント１９の中の下向きの矢印によって示されている方向に、ロードコンパートメント１９を通る圧力媒体の下向きのフローが存在することが可能であり、また、そして、図１に図示されているように、処理サイクルの冷却局面の間に、図５のロードコンパートメント１９の中の上向きの矢印によって示されている方向に、ロードコンパートメント１９を通る圧力媒体の上向きのフローが存在することが可能である。
【００８３】
図５および図６に図示されているプレス構成体１００において、ロードコンパートメント１９は、ロードコンパートメント１９の側壁部の中に開口部２９を備える。図５および図６に図示されている本発明の実施形態によれば、ロードコンパートメント１９は、ロードバスケット３４によって画定されており、ロードバスケット３４は、処理されることとなる少なくとも１つの物品を保持するように構成されており、開口部２９は、ロードバスケット３４の側壁部の中の開口部２９によって構成されている。開口部２９は、炉室１８の圧力媒体ガイド通路１２からの圧力媒体がロードコンパートメント１９に進入することを可能にし、または、その逆も同様である。それによって、開口部２９は、炉室１８の内側対流ループの一部を構成することが可能である。圧力容器２は、調節可能なスロットル１５を備え、調節可能なスロットル１５は、バルブ１５（または、いくつかのバルブ）をそれぞれ含む。バルブ１５は、開口部２９の中に配置されており、開口部２９を通る圧力媒体フローを選択的に阻害または妨害するように構成されている。
【００８４】
図５に図示されているように、処理サイクルの冷却局面の間に、バルブ１５は、開口部２９を通る圧力媒体フローを妨害または阻害するように閉じられ得る。それによって、処理サイクルの冷却局面の間に、炉室１８の内側対流ループの中の循環する圧力媒体フローは妨害され得、炉室１８の内側対流ループが「閉じられる」ようになっている。
【００８５】
図６に図示されているように、処理サイクルの加熱局面の間に、バルブ１５は、開口部２９を通る圧力媒体フローを妨害または阻害しないように開けられ得る。それによって、処理サイクルの加熱局面の間に、炉室１８の内側対流ループの中の循環する圧力媒体フローは、妨害または阻害されないことが可能であり、炉室１８の内側対流ループが「開いている」ようになっている。
【００８６】
プレス構成体は、制御ユニット（図５および図６には示されていない）を備えることが可能であり、制御ユニットは、（図５に図示されているようなものなど）閉じた状態になるように、または、（図６に図示されているようなものなど）開いた状態になるように、バルブ１５を制御するために、バルブ１５を含む調節可能なスロットル１５に通信可能に連結され得る。その目的のために、プレス構成体は、制御ユニットと通信可能に連結されている作動メカニズムまたはシステムを備えることが可能であり、作動メカニズムまたはシステムによって、バルブ１５は開けられ得るかまたは閉められ得る。たとえば、制御ユニットは、バルブ１５を制御するように構成され得、処理サイクルの冷却局面の間にバルブ１５が閉じられるようになっており、また、処理サイクルの加熱局面の間にバルブ１５が開いているようになっている。
【００８７】
図１および図２に図示されているように、ならびに、図５および図６に図示されているように、調節可能なスロットルは、圧力容器２の中の異なる位置に位置付けされ得る。調節可能なスロットルが圧力容器２の中のどこに位置付けされ得るかについての別の例が、図７および図８に図示されており、図７および図８は、本発明の別の実施形態によるプレス構成体１００の一部分の部分的に断面の概略側面図である。図７および図８に図示されているプレス構成体１００は、図１および図２に図示されているプレス構成体１００と同様であり、図１および図２の中の、ならびに、図７および図８の中の同じ参照番号は、同じまたは同様の機能を有する、同じまたは同様のコンポーネントを示している。
【００８８】
図７および図８に図示されているプレス構成体１００は、ホットプレス法によって少なくとも１つの物品（図７および図８には示されていない）を処理するように構成されており、たとえば、少なくとも１つの物品の処理が、少なくとも１つの加熱局面（加熱局面では、少なくとも１つの物品が加熱される）と、少なくとも１つの冷却局面（冷却局面では、少なくとも１つの物品が冷却される）とを備えるようになっている。図７は、加熱局面の間のプレス構成体１００を図示しており、図８は、冷却局面の間のプレス構成体１００を図示している。処理サイクルの加熱局面の間の圧力媒体の例示的なフローが、図７に示されている圧力容器の中の矢印によって図示されており、処理サイクルの冷却局面の間の圧力媒体の例示的なフローが、図８に示されている圧力容器の中の矢印によって図示されている。図７および図８に図示されているように、処理サイクルの加熱局面の間に、図７のロードコンパートメント１９の中の概して下向きの矢印によって示されている方向に、ロードコンパートメント１９を通る圧力媒体の下向きのフローが存在することが可能であり、また、そして、図１に図示されているように、処理サイクルの冷却局面の間に、図８のロードコンパートメント１９の中の上向きの矢印によって示されている方向に、ロードコンパートメント１９を通る圧力媒体の上向きのフローが存在することが可能である。
【００８９】
図１および図２に図示されているプレス構成体１００と同様に、図７および図８に図示されているプレス構成体１００は、圧力媒体導管２０、２１、２２を有しており、圧力媒体導管２０、２１、２２は、圧力容器２の中に備えられている。圧力媒体導管２０、２１、２２は、入口部２１を有しており、入口部２１は、スペース５の中に配置されており、スペース５は、圧力容器２の底部断熱部分１７の下方に、および、圧力容器２の底部端部部分の上方に位置付けされている。圧力媒体導管２０、２１、２２は、入口部２１に連結されている中間部分２０と、中間部分２０に連結されている出口部２２とをさらに有している。図７および図８に図示されているように、中間部分２０は、ロードコンパートメント１９の中へ延在することが可能であり、出口部２２がロードコンパートメント１９の中に位置付けされるようになっている。圧力媒体導管２０、２１、２２は、スペース５から輸送される圧力媒体をロードコンパートメント１９の中へ注入するために、その出口部２２において、圧力媒体分配導管８を設けられている。圧力媒体分配導管８は、圧力媒体導管２０、２１、２２からその出口部２２を介して炉室１８のロードコンパートメント１９の中へ出力される圧力媒体を拡散させるように構成され得る。図８に最良に図示されているように、スペース５に進入する圧力媒体ガイド通路１０からの圧力媒体は、フロー発生器１６の中へ引き込まれ得、その後に、フロー発生器１６から圧力媒体導管２０、２１、２２の中へ噴出され得る。
【００９０】
図７および図８に図示されている本発明の実施形態によれば、圧力媒体分配導管８は、少なくとも１つの圧力媒体ガイド通路５１を備え、少なくとも１つの圧力媒体ガイド通路５１は、炉室１８の少なくとも１つの圧力媒体ガイド通路１２からの圧力媒体がロードコンパートメント１９に進入することを可能にし、または、その逆も同様である。圧力媒体分配導管８の中に備えられている１つだけの圧力媒体ガイド通路５１が、図７および図８に図示されているが、圧力媒体分配導管８の中に備えられているいくつかの圧力媒体ガイド通路が存在することが可能であり、圧力媒体ガイド通路のそれぞれは、炉室１８の少なくとも１つの圧力媒体ガイド通路１２からの圧力媒体が、ロードコンパートメント１９に進入することを可能にすることができ、または、その逆も同様であるということが理解されるべきである。たとえば、圧力媒体分配導管８の中に備えられている複数の圧力媒体ガイド通路が存在することが可能であり、複数の圧力媒体ガイド通路は、圧力媒体導管２０、２１、２２および／または圧力媒体分配導管８の中心軸線に対して円周方向に、場合によっては均一に、分配され得る。
【００９１】
調節可能なスロットル１５は、圧力媒体分配導管８の圧力媒体ガイド通路５１を通る圧力媒体フローを選択的に阻害または妨害するように構成されている。図７および図８に図示されている本発明の実施形態によれば、調節可能なスロットル１５は、たとえば、バルブ１５（または、いくつかのバルブ）を備えることが可能である。場合によっては、いくつかの調節可能なスロットルが設けられ得、それぞれの調節可能なスロットルは、圧力媒体分配導管８の中に備えられている複数の圧力媒体ガイド通路のうちのそれぞれ１つを通る圧力媒体フローを選択的に阻害または妨害するように構成され得、複数の圧力媒体ガイド通路のそれぞれは、炉室１８の少なくとも１つの圧力媒体ガイド通路１２からの圧力媒体が、ロードコンパートメント１９に進入することを可能にすることができ、または、その逆も同様である。
【００９２】
図７に図示されているように、処理サイクルの加熱局面の間に、バルブ１５は、圧力媒体分配導管８の圧力媒体ガイド通路５１を通る圧力媒体フローを妨害しないように開けられ得る。それによって、処理サイクルの加熱局面の間に、炉室１８の内側対流ループの中の循環する圧力媒体フローは、妨害または阻害されないことが可能であり、炉室１８の内側対流ループが「開いている」ようになっている。
【００９３】
図８に図示されているように、処理サイクルの冷却局面の間に、バルブ１５は、圧力媒体分配導管８の圧力媒体ガイド通路５１を通る圧力媒体フローを妨害するように閉じられ得る。それによって、処理サイクルの冷却局面の間に、炉室１８の内側対流ループの中の循環する圧力媒体フローは妨害され得、炉室１８の内側対流ループが「閉じられる」ようになっている。
【００９４】
プレス構成体は、制御ユニット（図７および図８には示されていない）を備えることが可能であり、制御ユニットは、（図８に図示されているようなものなど）閉じた状態になるように、または、（図７に図示されているようなものなど）開いた状態になるように、バルブ１５を制御するために、バルブ１５に通信可能に連結され得る。その目的のために、プレス構成体は、制御ユニットと通信可能に連結されている作動メカニズムまたはシステムを備えることが可能であり、作動メカニズムまたはシステムによって、バルブ１５は開けられ得るかまたは閉められ得る。たとえば、制御ユニットは、バルブ１５を制御するように構成され得、処理サイクルの冷却局面の間にバルブ１５が閉じられるようになっており、また、処理サイクルの加熱局面の間にバルブ１５が開いているようになっている。
【００９５】
フロー発生器１６は、たとえば、エジェクター構成体１６を備えることが可能であり、エジェクター構成体１６は、図１および図２に図示されているフロー発生器１６の先述のものの中の説明と同様に、単一段式のエジェクターまたは多段式のエジェクター（たとえば、２段式のエジェクター）を備えることが可能である。たとえば、フロー発生器１６またはエジェクター構成体１６は、１次フロー発生器またはエジェクターと、２次フロー発生器またはエジェクターとを備えることが可能であり、１次フロー発生器またはエジェクターは、スペース５に進入する圧力媒体ガイド通路１０からの圧力媒体を、１次フロー発生器またはエジェクターの中へ引き込むように配置されている。１次フロー発生器またはエジェクターからの出力は、２次フロー発生器またはエジェクターの中へ入力され得、２次フロー発生器またはエジェクターからの出力は、圧力媒体導管２０、２１、２２の中へ噴出され得る。
【００９６】
結論として、プレス構成体が開示されている。プレス構成体は、炉室を備える圧力容器を含む。炉室は、炉室の中に配置されているロードコンパートメントを備え、ロードコンパートメントを通る圧力媒体のフローを可能にするように配置されている。炉室は、内側対流ループを形成するようにロードコンパートメントと流体連通している少なくとも１つの圧力媒体ガイド通路を備え、内側対流ループの中の圧力媒体が、ロードコンパートメントを通してガイドされ、炉室の少なくとも１つの圧力媒体ガイド通路を通してガイドされ、ロードコンパートメントに戻るようにガイドされ、または、その逆も同様である。圧力容器は、少なくとも１つの調節可能なスロットルを備え、少なくとも１つの調節可能なスロットルは、炉室の少なくとも１つの圧力媒体ガイド通路の少なくとも一部分の中の圧力媒体フローを選択的に阻害または妨害するように構成されており、それによって、内側対流ループの中の圧力媒体のフローを選択的に阻害または妨害する。
【００９７】
本発明が、図面および先述の説明に図示されてきたが、そのような図示は、例示目的なものまたは例示的なものであると考えられるべきであり、限定的なものであると考えられるべきではない。本発明は、開示されている実施形態に限定されない。開示されている実施形態に対する他の変形例は、図面、開示、および添付の特許請求の範囲の検討から、特許請求されている発明を実践する当業者によって理解および実現され得る。添付の特許請求の範囲において、「備える（ｃｏｍｐｒｉｓｉｎｇ）」という語句は、他のエレメントまたはステップを除外せず、不定冠詞「ａ」または「ａｎ」は、複数を除外しない。特定の対策が相互に異なる従属請求項に記載されているという単なる事実は、これらの対策の組み合わせが有利に使用されることができないということを示していない。特許請求の範囲の中の任意の参照記号は、範囲を限定するものとして解釈されるべきではない。
以下に、本願出願の当初の特許請求の範囲に記載された発明を付記する。
［１］  ホットプレス法による少なくとも１つの物品の処理のためのプレス構成体（１００）であって、前記プレス構成体は、圧力容器（２）を含み、前記圧力容器（２）は、
炉を備える炉室（１８）と、ここにおいて、前記炉室は、断熱されたケーシング（６、７、１７）によって少なくとも部分的に取り囲まれており、前記炉室の中に配置されているロードコンパートメント（１９）を備え、前記ロードコンパートメントは、処理されることとなる少なくとも１つの物品を保持するように構成されており、ここにおいて、前記炉室は、前記ロードコンパートメントを通る圧力媒体のフローを可能にするように配置されており、前記炉室は、少なくとも１つの圧力媒体ガイド通路（１２）を備え、前記少なくとも１つの圧力媒体ガイド通路（１２）は、前記断熱されたケーシングと前記ロードコンパートメントとの間に少なくとも部分的に形成されており、内側対流ループを形成するように前記ロードコンパートメントと流体連通しており、ここにおいて、前記内側対流ループの中の圧力媒体は、前記ロードコンパートメントを通してガイドされ、前記炉室の前記少なくとも１つの圧力媒体ガイド通路を通してガイドされ、前記ロードコンパートメントに戻るようにガイドされ、または、その逆も同様であり、
前記炉室の前記少なくとも１つの圧力媒体ガイド通路の少なくとも一部分の中の圧力媒体フローを選択的に阻害または妨害するように構成されており、それによって、前記内側対流ループの中の圧力媒体のフローを選択的に阻害または妨害する、少なくとも１つの調節可能なスロットル（１５）と
を備える、プレス構成体。
［２］  前記圧力容器は、
少なくとも１つのフロー発生器（１６）であって、前記少なくとも１つのフロー発生器（１６）は、スペース（５）からの圧力媒体の輸送によって、および、前記ロードコンパートメントの中への前記圧力媒体の注入によって、前記ロードコンパートメントの中への圧力媒体のフローを選択的に発生させるように構成されており、前記スペース（５）は、前記圧力容器の底部断熱部分（１７）の下方に、および、前記圧力容器の底部端部部分（４）の上方に位置付けされている、少なくとも１つのフロー発生器（１６）を備え、
前記少なくとも１つの調節可能なスロットルは、前記スペースからの圧力媒体の輸送によって発生させられる、前記ロードコンパートメントの中への圧力媒体の前記フローの圧力媒体流路の中に配置されており、前記少なくとも１つの調節可能なスロットルは、前記スペースから上向きへの圧力媒体の輸送によって発生させられる前記ロードコンパートメントの中への圧力媒体の任意のフローのフローレベルに基づいて、前記炉室の前記少なくとも１つの圧力媒体ガイド通路の少なくとも一部分の中の圧力媒体フローを選択的に阻害または妨害するように配置されており、前記フローは、前記少なくとも１つの調節可能なスロットルに衝突する、［１］に記載のプレス構成体。
［３］  前記少なくとも１つの調節可能なスロットルは、前記炉室の前記少なくとも１つの圧力媒体ガイド通路の中の圧力媒体フローを阻害または妨害することに関して制御可能となるように配置されており、前記プレス構成体は、
前記少なくとも１つの調節可能なスロットルを制御するために、前記少なくとも１つの調節可能なスロットルに通信可能に連結されている制御ユニット（９）であって、前記制御ユニットは、前記炉室の前記少なくとも１つの圧力媒体ガイド通路の少なくとも一部分の中の圧力媒体フローを制御可能に阻害または妨害するように、前記少なくとも１つの調節可能なスロットルを制御するように構成されている、制御ユニット（９）
をさらに備える、［１］または［２］に記載のプレス構成体。
［４］  前記圧力容器は、
少なくとも１つのフロー発生器（１６）であって、前記少なくとも１つのフロー発生器（１６）は、スペース（５）からの圧力媒体の輸送によって、および、前記ロードコンパートメントの中への前記圧力媒体の注入によって、前記ロードコンパートメントの中への圧力媒体のフローを選択的に発生させるように構成されており、前記スペース（５）は、前記圧力容器の底部断熱部分（１７）の下方に、および、前記圧力容器の底部端部部分（４）の上方に位置付けされている、少なくとも１つのフロー発生器（１６）を備え、
前記制御ユニットは、前記スペースから上向きへの圧力媒体の輸送によって発生させられる前記ロードコンパートメントの中への圧力媒体の任意のフローのフローレベルに基づいて、前記炉室の前記少なくとも１つの圧力媒体ガイド通路の少なくとも一部分の中の圧力媒体フローを制御可能に阻害または妨害するように、前記少なくとも１つの調節可能なスロットルを制御するように構成されている、［３］に記載のプレス構成体。
［５］  前記プレス構成体は、ホットプレス法によって少なくとも１つの物品を処理するように構成されており、前記少なくとも１つの物品の前記処理が、少なくとも１つの加熱局面と少なくとも１つの冷却局面とを備えるようになっており、前記少なくとも１つの加熱局面では、前記少なくとも１つの物品が加熱され、前記少なくとも１つの冷却局面では、前記少なくとも１つの物品が冷却され、前記制御ユニットは、前記少なくとも１つの冷却局面の間に、前記炉室の前記少なくとも１つの圧力媒体ガイド通路の少なくとも一部分の中の圧力媒体フローを阻害または妨害するように、および、前記少なくとも１つの加熱局面の間に、前記炉室の前記少なくとも１つの圧力媒体ガイド通路の少なくとも一部分の中の圧力媒体フローを阻害または妨害しないように、前記少なくとも１つの調節可能なスロットルを制御するように構成されている、［３］または［４］に記載のプレス構成体。
［６］  前記圧力容器は、
少なくとも１つのフロー発生器（１６）であって、前記少なくとも１つのフロー発生器（１６）は、スペース（５）からの圧力媒体の輸送によって、および、前記ロードコンパートメントの中への前記圧力媒体の注入によって、前記ロードコンパートメントの中への圧力媒体のフローを選択的に発生させるように構成されており、前記スペース（５）は、前記圧力容器の底部断熱部分（１７）の下方に、および、前記圧力容器の底部端部部分（４）の上方に位置付けされている、少なくとも１つのフロー発生器（１６）を備え、
前記圧力容器は、前記炉室の前記少なくとも１つの圧力媒体ガイド通路の圧力媒体流路、および、前記スペースからの圧力媒体の輸送によって発生させられる、前記ロードコンパートメントの中への圧力媒体の前記フローの圧力媒体流路が、少なくとも１つの圧力媒体流路交差部（１４）において交差するように配置されており、前記少なくとも１つの調節可能なスロットルは、前記少なくとも１つの圧力媒体流路交差部に配置されている、［１］〜［５］のいずれか一項に記載のプレス構成体。
［７］  前記ロードコンパートメントの中への圧力媒体の前記フローは、圧力媒体導管（２０、２１、２２）による前記ロードコンパートメントの中への前記圧力媒体の注入によって発生させられ、前記圧力媒体導管（２０、２１、２２）は、前記スペースの中に配置されている入口部（２１）と、前記入口部に連結されている中間部分（２０）と、前記中間部分に連結されている出口部（２２）とを有しており、前記少なくとも１つの圧力媒体流路交差部は、前記圧力媒体導管の中の少なくとも１つの開口部（２３、２４、２５；２６、２７、２８）に配置されており、前記少なくとも１つの調節可能なスロットルは、前記圧力媒体導管の中の前記少なくとも１つの開口部を通る圧力媒体フローを選択的に阻害または妨害するように構成されている、［６］に記載のプレス構成体。
［８］  前記圧力媒体導管の中の前記少なくとも１つの開口部は、その出口部と前記底部断熱部分との間に配置されている、［７］に記載のプレス構成体。
［９］  前記少なくとも１つの調節可能なスロットルは、少なくとも１つの第１の可動スロットル本体部（３０、３１、３２；３３）を備え、前記少なくとも１つの第１の可動スロットル本体部（３０、３１、３２；３３）は、前記圧力媒体導管の中の前記少なくとも１つの開口部を通る圧力媒体フローを選択的に阻害または妨害するように配置されており、前記少なくとも１つの第１のスロットル本体部は、少なくとも、前記圧力媒体導管の中の前記少なくとも１つの開口部を通る圧力媒体フローを妨害するように、前記少なくとも１つの第１のスロットル本体部が前記圧力媒体導管の中の前記少なくとも１つの開口部を閉じている位置と、前記圧力媒体導管の中の前記少なくとも１つの開口部を通る圧力媒体フローを阻害または妨害しないように、前記少なくとも１つの第１のスロットル本体部が前記圧力媒体導管の中の前記少なくとも１つの開口部から間隔を置いて配置されている位置との間で移動可能である、［７］または［８］に記載のプレス構成体。
［１０］  前記少なくとも１つの第１のスロットル本体部は、前記圧力媒体導管の中に配置されている、［９］に記載のプレス構成体。
［１１］  前記少なくとも１つの第１のスロットル本体部は、前記圧力媒体導管の外側に配置されている、［９］に記載のプレス構成体。
［１２］  前記圧力容器は、
少なくとも１つのフロー発生器（１６）であって、前記少なくとも１つのフロー発生器（１６）は、スペース（５）からの圧力媒体の輸送によって、および、前記ロードコンパートメントの中への前記圧力媒体の注入によって、前記ロードコンパートメントの中への圧力媒体のフローを選択的に発生させるように構成されており、前記スペース（５）は、前記圧力容器の底部断熱部分（１７）の下方に、および、前記圧力容器の底部端部部分（４）の上方に位置付けされている、少なくとも１つのフロー発生器（１６）を備え、
前記ロードコンパートメントの中への圧力媒体の前記フローは、圧力媒体導管（２０、２１、２２）による前記ロードコンパートメントの中への前記圧力媒体の注入によって発生させられ、前記圧力媒体導管（２０、２１、２２）は、前記スペースの中に配置されている入口部（２１）と、前記入口部に連結されている中間部分（２０）と、前記中間部分に連結されている出口部（２２）とを有しており、
前記圧力媒体導管は、少なくとも１つの圧力媒体分配導管（８）を設けられており、前記少なくとも１つの圧力媒体分配導管（８）は、前記スペースから輸送される前記圧力媒体を前記ロードコンパートメントの中へ注入するために、前記圧力媒体導管の前記出口部に配置されており、前記少なくとも１つの圧力媒体分配導管は、少なくとも１つの圧力媒体ガイド通路（５１）を備え、前記少なくとも１つの圧力媒体ガイド通路（５１）は、前記炉室の前記少なくとも１つの圧力媒体ガイド通路からの圧力媒体が、前記ロードコンパートメントに進入することを可能にし、または、その逆も同様であり、前記少なくとも１つの調節可能なスロットルは、前記少なくとも１つの圧力媒体分配導管の前記少なくとも１つの圧力媒体ガイド通路を通る圧力媒体フローを選択的に阻害または妨害するように構成されている、［１］〜［１１］のいずれか一項に記載のプレス構成体。
［１３］  前記ロードコンパートメントは、前記ロードコンパートメントの側壁部の中に少なくとも１つの開口部（２９）を備え、前記ロードコンパートメントの側壁部の中の前記少なくとも１つの開口部は、前記炉室の前記少なくとも１つの圧力媒体ガイド通路からの圧力媒体が、前記ロードコンパートメントに進入することを可能にし、または、その逆も同様であり、前記少なくとも１つの調節可能なスロットルは、前記ロードコンパートメントの前記側壁部の中の前記少なくとも１つの開口部を通る圧力媒体フローを選択的に阻害または妨害するように構成されている、［１］〜［１２］のいずれか一項に記載のプレス構成体。
［１４］  前記ロードコンパートメントは、処理されることとなる少なくとも１つの物品を保持するように構成されているロードバスケット（３４）によって画定されており、前記ロードコンパートメントの側壁部の中の前記少なくとも１つの開口部は、前記ロードバスケットの側壁部の中の少なくとも１つの開口部によって構成されている、［１３］に記載のプレス構成体。
［１５］  前記少なくとも１つの調節可能なスロットルは、少なくとも１つの第２の可動スロットル本体部を備え、前記少なくとも１つの第２の可動スロットル本体部は、前記ロードコンパートメントの前記側壁部の中の前記少なくとも１つの開口部を通る圧力媒体フローを選択的に阻害または妨害するように配置されており、前記少なくとも１つの第２のスロットル本体部は、少なくとも、前記ロードコンパートメントの前記側壁部の中の前記少なくとも１つの開口部を通る圧力媒体フローを妨害するように、前記少なくとも１つの第２のスロットル本体部が前記ロードコンパートメントの前記側壁部の中の前記少なくとも１つの開口部を閉じている位置と、前記ロードコンパートメントの前記側壁部の中の前記少なくとも１つの開口部を通る圧力媒体フローを阻害または妨害しないように、前記少なくとも１つの第２のスロットル本体部が前記ロードコンパートメントの前記側壁部の中の前記少なくとも１つの開口部から間隔を置いて配置されている位置との間で移動可能である、［１３］または［１４］に記載のプレス構成体。
［１６］  前記少なくとも１つの第２のスロットル本体部は、前記ロードコンパートメントの外側に配置されている、［１５］に記載のプレス構成体。
［１７］  前記少なくとも１つの調節可能なスロットルは、少なくとも１つのバルブを備える、［１］〜［１６］のいずれか一項に記載のプレス構成体。
［１８］  ホットプレス法による少なくとも１つの物品の処理のためのプレス構成体（１００）における方法であって、前記プレス構成体は、圧力容器（２）を含み、前記圧力容器（２）は、炉を備える炉室（１８）を備え、前記炉室は、断熱されたケーシング（６、７、１７）によって少なくとも部分的に取り囲まれており、前記炉室の中に配置されているロードコンパートメント（１９）を備え、前記ロードコンパートメントは、処理されることとなる少なくとも１つの物品を保持するように構成されており、前記炉室は、前記ロードコンパートメントを通る圧力媒体のフローを可能にするように配置されており、前記炉室は、少なくとも１つの圧力媒体ガイド通路（１２）を備え、前記少なくとも１つの圧力媒体ガイド通路（１２）は、前記断熱されたケーシングと前記ロードコンパートメントとの間に少なくとも部分的に形成されており、内側対流ループを形成するように前記ロードコンパートメントと流体連通しており、前記内側対流ループの中の圧力媒体は、前記ロードコンパートメントを通してガイドされ、前記炉室の前記少なくとも１つの圧力媒体ガイド通路を通してガイドされ、前記ロードコンパートメントに戻るようにガイドされ、または、その逆も同様であり、前記方法は、
少なくとも１つの調節可能なスロットル（１５）によって前記炉室の前記少なくとも１つの圧力媒体ガイド通路の少なくとも一部分の中の圧力媒体フローを選択的に阻害または妨害し、それによって、前記内側対流ループの中の圧力媒体のフローを選択的に阻害または妨害するステップ
を備える、方法。
【図１】
0006891300.tif 000002
【図２】
0006891300.tif 000003
【図３】
0006891300.tif 000004
【図４】
0006891300.tif 000005
【図５】
0006891300.tif 000006
【図６】
0006891300.tif 000007
【図７】
0006891300.tif 000008
【図８】
0006891300.tif 000009